(57)【要約】【課題】実行する演出のパターンを増やしつつ、演出テーブルに要する記憶の容量（即ち、ＲＯＭのデータ容量）が増大することを極力抑えることが可能な遊技機を提供する。【解決手段】決定される内部当籤役に基づいて、演出テーブルにより規定される複数種類の演出データの中から何れかを決定し、決定される内部当籤役がボーナスゲームの作動に係る内部当籤役であるとき、演出テーブルにより決定された演出データから演出テーブルにより規定される複数種類の演出データとは異なる演出データへの変更を行うか否かを決定するようにした。そして、前記変更を行わないと決定されるとき、演出テーブルにより決定される演出データに基づいて所定の演出を行う一方で、前記変更を行うと決定されるとき、演出テーブルにより規定される複数種類の演出データとは異なる演出データに基づいて所定の演出とは異なる演出を行うようにした。【選択図】図３９
2008006166.tif 000002
【特許請求の範囲】
【請求項１】
複数の図柄を表示する図柄表示手段と、
開始操作の検出を行う開始操作検出手段と、
前記開始操作検出手段により行われる開始操作の検出に基づいて内部当籤役を決定する内部当籤役決定手段と、
前記開始操作検出手段により行われる開始操作の検出に基づいて前記図柄表示手段により表示される図柄の変動を行う図柄変動手段と、
停止操作の検出を行う停止操作検出手段と、
前記停止操作検出手段により行われる停止操作の検出と前記内部当籤役決定手段により決定される内部当籤役とに基づいて、前記図柄変動手段により行われる図柄の変動の停止制御を行う停止制御手段と、
前記図柄表示手段により特定の図柄の組合せが表示されると、遊技者にとって相対的に有利なボーナスゲームの作動を行うボーナスゲーム作動手段と、
複数種類の演出データを規定する演出テーブルを記憶する演出テーブル記憶手段と、
前記内部当籤役決定手段により決定される内部当籤役に基づいて、前記演出テーブルにより規定される複数種類の演出データの中から何れかを決定する演出データ決定手段と、
前記内部当籤役決定手段により前記特定の図柄の組合せに係る内部当籤役が決定されると、前記演出データ決定手段により決定される演出データから前記演出テーブルにより規定される複数種類の演出データとは異なる演出データへの変更を行うか否かを決定する演出データ変更手段と、
前記開始操作検出手段により開始操作の検出が行われると、
前記演出データ変更手段により前記変更を行わないと決定されるとき、前記演出データ決定手段により決定される演出データに基づいて所定の演出を行う一方で、
前記演出データ変更手段により前記変更を行うと決定されるとき、前記演出テーブルにより規定される複数種類の演出データとは異なる演出データに基づいて前記所定の演出とは異なる演出を行う演出実行手段と、を備えたことを特徴とする遊技機。
【請求項２】
前記演出実行手段は、
前記所定の演出として、所定の音の出力を行う一方で、
前記所定の演出とは異なる演出として、前記所定の音とは異なる音の出力を行うことを特徴とする請求項１に記載の遊技機。
【発明の詳細な説明】
【技術分野】
【０００１】
本発明は、遊技機に関する。
【背景技術】
【０００２】
従来、複数の図柄が夫々の表面に配された複数のリールと、これら各リールに対応するように複数設けられ、前記各リールの表面に配された複数の図柄のうちの一部の図柄を遊技者が視認可能なように表示する表示窓と、遊技媒体（例えば、メダル）が投入されていることを条件に、遊技者による操作（以下、開始操作という）に基づいて、各リールの回転の開始を要求する信号を出力するスタートスイッチと、遊技者による操作（以下、停止操作という）に基づいて、リールの回転の停止を要求する信号をリールの種別に応じて出力するストップスイッチと、これらスタートスイッチ及びストップスイッチにより出力された信号に基づいて、ステッピングモータの動作を制御し、各リールの回転及びその停止を行う制御部と、を備えた遊技機（所謂パチスロ）が知られている。このような遊技機では、複数の表示窓により表示される図柄の組合せに基づいて、メダルの払い出し等の特典の付与が遊技者に対して行われる。
【０００３】
現在、主流の遊技機は、開始操作の検出が行われると、内部的な抽籤を行い、この抽籤の結果（以下、この内部的な抽籤の結果を内部当籤役という）と停止操作の検出のタイミングとに基づいて、リールの回転を停止するものである。より具体的には、予め定められた数値の範囲を複数規定する内部抽籤テーブルを複数備え、これら複数の内部抽籤テーブルの中から１つの内部抽籤テーブルを選択して、抽出された乱数値が属する数値の範囲に基づいて内部当籤役を決定するようにしている。そして、例えば、前述した内部的な抽籤により特典の付与に係る内部当籤役が決定されると、当該内部当籤役に係る図柄の組合せが表示されるように、停止操作の検出が行われた後であってもリールの回転が所定の期間（例えば、１９０ｍｓ）以内で継続し、その後、停止するようになっている。これに対して、特典の付与に係る内部当籤役が決定されていなければ、当該内部当籤役に係る図柄の組合せが表示されないようにリールの回転が停止するようになっている。
【０００４】
上記のような遊技機では、決定された内部当籤役を遊技者が予測可能とすることを主な目的として、内部的な抽籤により内部当籤役が決定されると、その直後に出力される音（以下、遊技開始音という）の種類と、遊技者による停止操作に基づいて行われる、リールのバックランプの点消灯のパターン（以下、点消灯パターンという）と、が上記内部当籤役に基づいて決定される遊技機が知られている（例えば、特許文献１参照）。
【特許文献１】特開２０００−１３５３０６号公報
【発明の開示】
【発明が解決しようとする課題】
【０００５】
しかしながら、上記従来の遊技機では、遊技開始音及び点消灯パターンからなる一連の演出毎に、その選択確率を規定したテーブル（以下、演出テーブル）が備えられているが、演出の種類が増えるほど、演出テーブルに必要なＲＯＭの容量が大きくなってしまうという問題が有った。
【課題を解決するための手段】
【０００６】
本発明は、上記のような課題を解決するためになされたものであり、以下のような遊技機を提供する。
【０００７】
第１の発明の遊技機は、複数の図柄を表示する図柄表示手段（例えば、後述のリール３Ｌ，３Ｃ，３Ｒ、後述の表示窓４Ｌ，４Ｃ，４Ｒ）と、開始操作の検出を行う開始操作検出手段（例えば、後述のスタートスイッチ６Ｓ）と、前記開始操作検出手段により行われる開始操作の検出に基づいて内部当籤役を決定する内部当籤役決定手段（例えば、後述のＣＰＵ３１により行われる図３０の内部抽籤処理）と、前記開始操作検出手段により行われる開始操作の検出に基づいて前記図柄表示手段により表示される図柄の変動を行う図柄変動手段（例えば、後述のＣＰＵ３１により行われる図３４のステップＳ１９３のリール制御処理）と、停止操作の検出を行う停止操作検出手段（例えば、後述のストップスイッチ７Ｓ）と、前記停止操作検出手段により行われる停止操作の検出と前記内部当籤役決定手段により決定される内部当籤役とに基づいて、前記図柄変動手段により行われる図柄の変動の停止制御を行う停止制御手段（例えば、後述のＣＰＵ３１により行われる図３１のリール停止制御処理）と、前記図柄表示手段により特定の図柄の組合せが表示されると、遊技者にとって相対的に有利なボーナスゲーム（例えば、後述のＢＢ又はＭＢ）の作動を行うボーナスゲーム作動手段（例えば、後述のＣＰＵ３１により行われる図３２のボーナス作動チェック処理）と、複数種類の演出データ（例えば、後述の遊技開始音「１」、「２」、「３」）を規定する演出テーブル（例えば、後述の演出テーブル）を記憶する演出テーブル記憶手段（例えば、後述のＲＯＭ３２）と、前記内部当籤役決定手段により決定される内部当籤役に基づいて、前記演出テーブルにより規定される複数種類の演出データの中から何れかを決定する演出データ決定手段（例えば、後述のサブＣＰＵ８１により行われる図３８のステップＳ２５４の処理）と、前記内部当籤役決定手段により前記特定の図柄の組合せに係る内部当籤役（例えば、後述のＢＢ１、ＢＢ２、ＢＢ３、又はＭＢ）が決定されると、前記演出データ決定手段により決定される演出データから前記演出テーブルにより規定される複数種類の演出データとは異なる演出データ（例えば、後述の遊技開始音「４」）への変更を行うか否かを決定する演出データ変更手段（例えば、後述のサブＣＰＵ８１により行われる図３９のステップＳ２６４及びステップＳ２６５の「１／８」の抽籤を行い、当籤したか否かを判別する処理）と、前記開始操作検出手段により開始操作の検出が行われると、前記演出データ変更手段により前記変更を行わないと決定されるとき、前記演出データ決定手段により決定される演出データに基づいて所定の演出を行う一方で、前記演出データ変更手段により前記変更を行うと決定されるとき、前記演出テーブルにより規定される複数種類の演出データとは異なる演出データに基づいて前記所定の演出とは異なる演出を行う演出実行手段（例えば、後述のサブＣＰＵ８１により行われる図３６のステップＳ２１６のＬＥＤデータ・サウンドンデータの登録の処理）と、を備えたことを特徴としている。
【０００８】
この遊技機によれば、決定される内部当籤役に基づいて、演出テーブルにより規定される複数種類の演出データの中から何れかを決定し、決定される内部当籤役が特定の図柄の組合せに係る内部当籤役であるとき、演出テーブルにより決定された演出データから演出テーブルにより規定される複数種類の演出データとは異なる演出データへの変更を行うか否かを決定するようにした。即ち、ボーナスゲームの作動に係る内部当籤役が決定されると、演出テーブルにより規定される複数種類の演出データとは異なる演出データを決定し、これに基づいた演出を行うことが可能となる。
【０００９】
従って、演出テーブルに規定する演出データの種類を増やすことなく、実行する演出のパターン（即ち、ボーナスゲームの作動に係る内部当籤役を報知する演出のパターン）を増やすことが可能となるので、演出データの種類を増やしつつも、演出テーブルに要する記憶の容量（即ち、ＲＯＭのデータ容量）の増大を極力抑えることが可能となる。また、ボーナスゲームの作動に係る内部当籤役が決定されていないときに参照する演出テーブルと、ボーナスゲームの作動に係る内部当籤役が決定されているときに参照する演出テーブルとを設けるようにする場合、当該演出テーブルの一部又は全部を共用することも可能となり、演出テーブルに要する記憶の容量を削減することができ、また、演出テーブルの開発作業を軽減することができる。
【００１０】
第２の発明の遊技機は、前記演出実行手段は、前記所定の演出として、所定の音の出力を行う一方で、前記所定の演出とは異なる演出として、前記所定の音とは異なる音の出力を行うことを特徴としている。
【００１１】
この遊技機によれば、開始操作の検出に基づいて出力される音のパターンを増やしつつ、ＲＯＭのデータ容量が増大することを極力抑えることが可能となる。また、開始操作の検出に基づいて出力される音のパターンによって、ボーナスゲームの作動に係る内部当籤役が決定されたか否かを遊技者に推測させることが可能となり、遊技者が開始操作を行う際の興趣の向上を図ることが可能となる。
【発明の効果】
【００１２】
本発明の遊技機によれば、ボーナスゲームの作動に係る内部当籤役が決定されると、演出テーブルにより規定される複数種類の演出データとは異なる演出データを決定し、これに基づいた演出を行うようにしたので、演出テーブルに規定する演出データの種類を増やすことなく、実行する演出のパターンを増やすことが可能となり、演出テーブルに要する記憶の容量の増大を極力抑えることが可能となる。
【発明を実施するための最良の形態】
【００１３】
本発明の実施の形態に係る遊技機１の構成について、以下図面を参照しながら説明する。まず、図１を参照して、遊技機１の概観について説明する。
【００１４】
遊技機１には、後述の主制御回路７１などを収容するキャビネット１ａとキャビネット１ａに対して開閉可能に取り付けられる前面扉１ｂとが設けられている。キャビネット１ａの内部には、３つのリール３Ｌ，３Ｃ，３Ｒが横一列に設けられている。各リール３Ｌ，３Ｃ，３Ｒの表面には複数種類の図柄がリールの回転方向に連続して配されている。各リール３Ｌ，３Ｃ，３Ｒは、定速で回転（例えば８０回転／分）するように後述の主制御回路７１により制御され、リール３Ｌ，３Ｃ，３Ｒの表面に配された複数の図柄がリールの回転に伴って変動する。
【００１５】
前面扉１ｂの中央には、遊技機１の正面側から見てリール３Ｌ，３Ｃ，３Ｒの手前側、即ち、リール３Ｌ，３Ｃ，３Ｒに重畳する位置に、液晶表示装置５が設けられている。液晶表示装置５の液晶表示部５ａは、縦長矩形の図柄表示領域４Ｌ，４Ｃ，４Ｒ及び演出表示領域２３により構成されている。図柄表示領域４Ｌ，４Ｃ，４Ｒは、３個のリール３Ｌ，３Ｃ，３Ｒに対応して設けられており、対応する各リール３Ｌ，３Ｃ，３Ｒの前方に位置するように設けられている。そして、図柄表示領域４Ｌ，４Ｃ，４Ｒは、後述の副制御回路７２によってその表示領域内における透過率の制御が行われることによって、各リール３Ｌ，３Ｃ，３Ｒの表面に配された図柄を透過することが可能となっている。従って、図柄表示領域４Ｌ，４Ｃ，４Ｒを透して、その背後に設けられている各リール３Ｌ，３Ｃ，３Ｒの回転及びその停止の動作が視認可能となっている。
【００１６】
また、各図柄表示領域４Ｌ，４Ｃ，４Ｒには、その表示領域内における上段、中段又は下段の各領域に一の図柄が表示されることにより、対応するリールの表面に配された複数の図柄のうち３個の図柄が表示される（即ち、図柄表示領域４Ｌ，４Ｃ，４Ｒは表示窓としての機能を有するものであり、以下「表示窓」という）。また、表示窓４Ｌ，４Ｃ，４Ｒには、上記上段、中段及び下段の各領域のうち予め定められた何れかを夫々結ぶ擬似的なライン（予め定められた領域の組合せともいえる）が形成される。基本的に、当該ラインにより表示される図柄の組合せに基づいて後述の特典の付与を行うか否かの判定が行われる。
【００１７】
上記ラインとして、具体的に、クロスアップライン８ａ、トップライン８ｂ、センターライン８ｃ、ボトムライン８ｄ、及び、クロスダウンライン８ｅの５つが設けられる。センターライン８ｃは、各表示窓４Ｌ，４Ｃ，４Ｒの中段の領域を夫々結んでなるラインである。トップライン８ｂは、各表示窓４Ｌ，４Ｃ，４Ｒの上段の領域を夫々結んでなるラインである。ボトムライン８ｄは、各表示窓４Ｌ，４Ｃ，４Ｒの下段の領域を夫々結んでなるラインである。クロスアップライン８ａは、左表示窓４Ｌの下段、中表示窓４Ｃの中段、及び、右表示窓４Ｒの上段の各領域を夫々結んでなるラインである。クロスダウンライン８ｅは、左表示窓４Ｌの上段、中表示窓４Ｃの中段、及び、右表示窓４Ｒの下段の各領域を夫々結んでなるラインである。
【００１８】
また、液晶表示装置５の演出表示領域２３では、所定の映像の表示による演出の実行や、遊技機１に投入されるメダルの枚数（以下、投入枚数という）、遊技者に対して払い出されるメダルの枚数（以下、「払出枚数」という）などの遊技に関する情報の報知等が行われる。尚、上記図柄表示領域４Ｌ，４Ｃ，４Ｒについても、例えばリールの回転が停止した際に、その表示領域内において所定の映像の表示を行うことが可能となっており、図柄表示領域４Ｌ，４Ｃ，４Ｒ及び演出表示領域２３を含めた液晶表示部５ａの表示領域の全体においても、所定の映像の表示を行うことが可能となっている。
【００１９】
液晶表示装置５の下方には、略水平面の台座部１０が形成されている。台座部１０の右側にはメダル投入口２２が設けられ、台座部１０の左側には１−ベットボタン１１、２−ベットボタン１２及び最大ベットボタン１３が設けられている。基本的に、メダル投入口２２にメダルが放り込まれることに基づいて、及び、ベットボタン１１，１２，１３に対する押圧操作に基づいて、メダルが投入され、上記入賞ライン８ａ〜８ｅが有効化される（有効化された入賞ラインを以下、有効ラインという）。有効化されたラインは、後述の特典の付与に係る図柄の組合せが表示されたか否かの判定を行う対象となる。尚、本実施の形態では、遊技媒体としてメダルを使用するが、これに限らず、コイン、遊技球又はトークンなどの他、メダルの数量等の情報を記憶したカード等も適用可能である。また、台座部１０の中央には、７セグメントＬＥＤから成り、投入枚数やクレジット枚数等を表示する情報表示部１８が設けられている。
【００２０】
台座部１０の前面部の左寄りには、メダルのクレジット（Ｃｒｅｄｉｔ）又は排出（Ｐａｙ）の切り換えを行うためのＣ／Ｐボタン１４が設けられている。排出が行われる場合、払出枚数に応じたメダルが正面下部のメダル払出口１５から排出され、メダル受け部１６に溜められる。また、クレジットが行われる場合、払出枚数に応じたメダルがクレジットされる。台座部１０の前面部の中央には、各リール３Ｌ，３Ｃ，３Ｒに対応して設けられ、各リール３Ｌ，３Ｃ，３Ｒの回転を停止させるためのストップボタン７Ｌ，７Ｃ，７Ｒが設けられている。ストップボタン７Ｌ，７Ｃ，７Ｒの左側には、リール３Ｌ，３Ｃ，３Ｒの回転を開始するためのスタートレバー６が設けられている。
【００２１】
以下では、全てのリール３Ｌ，３Ｃ，３Ｒが回転しているときに最初に行われる停止操作（即ち、ストップボタン７Ｌ，７Ｃ，７Ｒに対する遊技者の押圧操作）を「第１停止操作」といい、第１停止操作の次に行われ、２つのリールが回転しているときに行われる停止操作を「第２停止操作」といい、第２停止操作の次に行われ、残り１つのリールが回転しているときに行われる停止操作を「第３停止操作」という。また、第１停止操作が左ストップボタン７Ｌに対して行われる場合を「順押し」といい、第１停止操作が中ストップボタン７Ｃに対して行われる場合を「中押し」といい、第１停止操作が右ストップボタン７Ｒに対して行われる場合を「逆押し」という。
【００２２】
また、前面扉１ｂの上部には、ＬＥＤ１０１が設けられている。ＬＥＤ１０１は、遊技の状況に応じた点灯パターンにて点灯が行われ、遊技に関する演出が行われる。前面扉１ｂの下部には、スピーカ２１Ｌ，２１Ｒが設けられている。スピーカ２１Ｌ，２１Ｒは、遊技の状況に応じた効果音や楽曲等の音が出力され、遊技に関する演出が行われる。また、図示は省略しているが、キャビネット１ａの内部には、遊技機１に電源を入れるための電源ボタン、後述の設定値の変更を開始するための設定変更ボタン、予め定められた複数の設定値の中から何れかを決定するためのリセットボタンが設けられている。
【００２３】
次に、図２を参照して、リール３Ｌ，３Ｃ，３Ｒ上に配された図柄の構成について説明する。
【００２４】
各リール３Ｌ，３Ｃ，３Ｒの表面には複数種類の図柄が２１個配されている。具体的には、各リール３Ｌ，３Ｃ，３Ｒの表面には一の図柄に割り当てられる領域が複数（即ち、２１個）設けられており、これらの各領域に、赤７（図柄６１）、桃７（図柄６２）、サンダーＶ（図柄６３）、バーサスＶ（図柄６４）、Ｖ（図柄６５）、ＢＡＲ（図柄６６）、スイカ（図柄６７）、ベル（図柄６８）、チェリー（図柄６９）、及びリプレイ（図柄７０）の何れかが配されている。また、各リール３Ｌ，３Ｃ，３Ｒは、図２に示す矢印方向に回転する。
【００２５】
次に、図３を参照して、主制御回路７１、副制御回路７２、主制御回路７１及び副制御回路７２と電気的に接続する周辺装置（アクチュエータ）を含む遊技機１の回路構成について説明する。
【００２６】
主制御回路７１は、回路基板上に配置されたマイクロコンピュータ３０を主たる構成要素とし、これに乱数サンプリングのための回路を加えて構成されている。マイクロコンピュータ３０は、ＣＰＵ３１、記憶手段であるＲＯＭ３２及びＲＡＭ３３により構成されている。ＲＯＭ３２には、ＣＰＵ３１により実行される制御プログラム（例えば、後述の図２７〜図３４参照）、後述の図柄組合せテーブル等の各種テーブル（例えば、後述の図５〜図９参照）等が記憶されている。ＲＡＭ３３には、後述の持越役格納領域等の各種格納領域（例えば、後述の図１０〜図１２参照）が設けられ、種々のデータが記憶される。
【００２７】
ＣＰＵ３１には、クロックパルス発生回路３４、分周器３５、乱数発生器３６及びサンプリング回路３７が接続されている。クロックパルス発生回路３４及び分周器３５は、基準クロックパルスを発生する。発生される基準クロックパルスに基づいて、後述の割込処理などが行われる。乱数発生器３６は、一定の範囲の乱数（例えば、０〜６５５３５）を発生する。サンプリング回路３７は、乱数発生器３６により発生された乱数から１つの乱数値を抽出（サンプリング）する。
【００２８】
図３の回路において、マイクロコンピュータ３０からの制御信号により動作が制御される主要なアクチュエータとしては、情報表示部１８、ホッパー４０、ステッピングモータ４９Ｌ，４９Ｃ，４９Ｒなどがある。また、マイクロコンピュータ３０の各出力ポートには、ＣＰＵ３１から出力される制御信号を受けて、前述の各アクチュエータの動作を制御するための各回路がそれぞれ接続されている。各回路としては、表示部駆動回路４８、モータ駆動回路３９、及びホッパー駆動回路４１がある。表示部駆動回路４８は、情報表示部１８による各種情報（払出枚数やクレジット枚数等）の表示の制御を行う。ホッパー駆動回路４１は、ホッパー４０によるメダルの排出の制御を行う。モータ駆動回路３９は、主制御回路７１からのパルスをステッピングモータ４９Ｌ，４９Ｃ，４９Ｒに対して出力することによって、ステッピングモータ４９Ｌ，４９Ｃ，４９Ｒの駆動を制御し、リール３Ｌ，３Ｃ，３Ｒの回転及びその停止の制御を行う。
【００２９】
ここで、本実施の形態では、リールが一回転したことを示すリールインデックスが後述のリール位置検出回路５０により検出されてから、ステッピングモータ４９Ｌ，４９Ｃ，４９Ｒに対してパルスを出力した回数を計数することによって、リールインデックスが検出される位置を基準とするリールの回転角度を検出することとしている。また、ステッピングモータ４９Ｌ，４９Ｃ，４９Ｒの回転を所定の減速比をもってリール３Ｌ，３Ｃ，３Ｒに伝達するギア（図示せず）が備えられており、ステッピングモータ４９Ｌ，４９Ｃ，４９Ｒに対して１６回のパルスの出力が行われることによって、リールの表面に配された図柄１つ分のリールの回転が行われる構成となっている。
【００３０】
具体的には、前述のステッピングモータ４９Ｌ，４９Ｃ，４９Ｒに対して出力されたパルスの数は、ＲＡＭ３３のパルスカウンタによって計数され、パルスカウンタにより１６回のパルスの出力が計数される毎に、ＲＡＭ３３の図柄カウンタが１ずつ加算される。また、図柄カウンタは、リールインデックスが検出される毎にその値がクリアされる。
【００３１】
ここで、前述のリールの表面に配された各図柄には、リールの回転方向から順に、夫々を識別するための図柄位置「０」〜「２０」が規定されている。そして、図柄位置「０」に対応する図柄がセンターライン８ｃ（より正確には、各表示窓４Ｌ，４Ｃ，４Ｒ内の縦方向における中段の領域の中心部）に位置するように、後述のリール位置検出回路５０によってリールインデックスが検出される構成となっている。即ち、リールインデックスの検出により図柄カウンタの値が「０」になる際に、図柄位置「０」に対応する図柄がセンターライン８ｃに位置することとなり、この結果、図柄カウンタと図柄位置とが対応付けられる。
【００３２】
また、ＲＯＭ３２には、各リール３Ｌ，３Ｃ，３Ｒの表面に配された図柄の構成（図２参照）をデータとして表した図柄配置テーブルが記憶されている。図柄配置テーブルには、リールインデックスが検出されたときに、各表示窓４Ｌ，４Ｃ，４Ｒの中段に位置する図柄を図柄位置「０」として、前述の図柄カウンタと対応する図柄位置「０」〜「２０」と、各図柄位置に対応する図柄の種別とが規定されている。従って、図柄配置テーブルと図柄カウンタとに基づいて、各リール３Ｌ，３Ｃ，３Ｒの表示窓４Ｌ，４Ｃ，４Ｒの中段に位置する図柄や、これに隣接する図柄などが特定可能となる。
【００３３】
尚、本実施の形態では、図柄位置「０」の図柄がセンターライン８ｃに位置するようにリールインデックスが検出される構成とし、図柄カウンタによりセンターライン８ｃ上にある図柄が特定されるようにしているが（即ち、所定の位置としてセンターライン８ｃを適用したが）、これに限らず、図柄が特定される位置は任意に変更可能である。例えば、所定の位置として、トップライン８ｂやボトムライン８ｄを適用することもできる。このとき、トップライン８ｂ（より厳密には、各表示窓４Ｌ，４Ｃ，４Ｒの縦方向における上段の領域の中心部）やボトムライン８ｄ（より厳密には、各表示窓４Ｌ，４Ｃ，４Ｒの縦方向における下段の領域の中心部）に図柄位置「０」の図柄が位置するようにリールインデックスが検出される構成を適用することができる。
【００３４】
また、マイクロコンピュータ３０の各入力ポートには、スイッチ類等がそれぞれ接続されており、前述のアクチュエータ等の制御が行われる契機となる所定の信号を入力する。具体的には、スタートスイッチ６Ｓ、ストップスイッチ７Ｓ、１−ベットスイッチ１１Ｓ、２−ベットスイッチ１２Ｓ、最大ベットスイッチ１３Ｓ、Ｃ／Ｐスイッチ１４Ｓ、設定変更スイッチ１９Ｓ、リセットスイッチ２０Ｓ、メダルセンサ２２Ｓ、リール位置検出回路５０、払出完了信号回路５１が接続されている。また、図示を省略しているが、電源ボタンに対する管理者の操作に基づいて、遊技機１に対する電源の供給及び遮断を行うための電源スイッチも設けられている。
【００３５】
スタートスイッチ６Ｓは、スタートレバー６に対する遊技者の傾動操作（即ち、開始操作）を検出し、検出した信号をマイクロコンピュータ３０に出力する。ストップスイッチ７Ｓは、各ストップボタン７Ｌ，７Ｃ，７Ｒに対する遊技者の押圧操作（即ち、停止操作）を夫々検出し、検出した信号をマイクロコンピュータ３０に出力する。１−ベットスイッチ１１Ｓ、２−ベットスイッチ１２Ｓ及び最大ベットスイッチ１３Ｓは、１−ベットボタン１１、２−ベットボタン１２及び最大ベットボタン１３の夫々に対する遊技者の押圧操作（即ち、投入操作）を検出し、検出した信号をマイクロコンピュータ３０に出力する。メダルセンサ２２Ｓは、遊技者の操作によりメダル投入口２２に放り込まれたメダルを検出し、検出した信号をマイクロコンピュータ３０に出力する。
【００３６】
Ｃ／Ｐスイッチ１４Ｓは、Ｃ／Ｐボタン１４に対する遊技者の押圧操作を検出し、検出した信号をマイクロコンピュータ３０に出力する。リール位置検出回路５０は、例えば発光部と受光部とを有する光センサにより、リールが一回転したことを示すリールインデックスをリール３Ｌ，３Ｃ，３Ｒ毎に検出し、検出した信号をマイクロコンピュータ３０に出力する。払出完了信号回路５１は、メダル検出部４０Ｓの動作により、払出枚数が所定枚数に達したか否かを検出し、検出した信号をマイクロコンピュータ３０に出力する。
【００３７】
設定変更スイッチ１９Ｓは、設定変更ボタンに対する管理者の操作を検出し、検出した信号をマイクロコンピュータ３０に出力する。リセットスイッチ２０Ｓは、リセットボタンに対する管理者の操作を検出し、検出した信号をマイクロコンピュータ３０に出力する。設定値は、遊技者にとっての有利さの度合いを区別するための指標となるデータである。即ち、後述の内部当籤役の当籤確率等に関わり、遊技者及び遊技店側の利益に関わるデータである。特典の付与に係る内部当籤役の当籤確率等が高いほど、より多くのメダルを獲得することができる可能性が生じるので、遊技者にとっては有利となる。本実施の形態では、設定値として「１」〜「６」の６段階が設けられており、スタートスイッチ６Ｓ、設定変更スイッチ１９Ｓ及びリセットスイッチ２０Ｓの入力に基づいて、これらのうち何れかがＲＡＭ３３の設定値格納領域に格納（記憶）される。
【００３８】
次に、図４を参照して、副制御回路７２の回路構成について説明する。
【００３９】
主制御回路７１は、内部当籤役の決定やリールの制御など一連の遊技の進行を制御するものであるのに対し、副制御回路７２は、映像、音、光、あるいはこれらを組み合わせた遊技に関する演出の制御を行うものである。主制御回路７１と副制御回路７２とはハーネスなどにより電気的に接続されており、副制御回路７２は、主制御回路７１から送信された各種コマンド（後述するスタートコマンドなど）に基づいて演出内容の決定や実行などの各種処理を行う。
【００４０】
副制御回路７２は、基本的に、サブＣＰＵ８１、制御ＲＯＭ８２、ＳＤＲＡＭ８３、レンダリングプロセッサ８４、描画用ＳＤＲＡＭ８５（フレームバッファ８６を含む）、ドライバ８７、Ａ／Ｄ変換器８８、及びアンプ８９によって構成される。また、副制御回路７２により動作が制御される主要なアクチュエータとしては、液晶表示装置５、スピーカ２１Ｌ，２１Ｒ、及び、ＬＥＤ１０１がある。尚、ＬＥＤ１０１は、遊技機１の前面に設けられる装飾ランプ（図１参照）に限らず、リール３Ｌ，３Ｃ，３Ｒの内部に設けられるバックランプ等としても機能する。
【００４１】
制御ＲＯＭ８２は、基本的に、プログラム記憶領域とデータ記憶領域によって構成される。プログラム記憶領域は、サブＣＰＵ制御用プログラム（例えば、後述の図３５〜図３９参照）を記憶する。具体的には、オペレーティングシステム、デバイスドライバ、主制御回路７１との通信を制御するための基板間通信タスク、ＬＥＤ１０１による光の出力を制御するためのＬＥＤ制御タスク、スピーカ２１Ｌ，２１Ｒによる音の出力を制御するための音声制御タスク、演出の内容（後述の遊技開始音、停止連動演出、全停止演出等）の決定等を行うための演出登録タスク、決定した演出の内容に基づいて液晶表示装置５による映像の表示を制御するための描画制御タスク等が含まれている。
【００４２】
データ記憶領域は、演出テーブル等（例えば、後述の図１３、図１５〜図２６参照）を記憶するテーブル記憶領域、キャラクタオブジェクトデータといったアニメーションデータ等（例えば、後述の図４０〜図５７に示す映像を表示するためのデータ）を記憶する描画制御データ記憶領域、ＢＧＭや効果音といった音データ等を記憶する音声制御データ記憶領域、光の点灯パターン等を記憶するＬＥＤ制御データ記憶領域等によって構成される。サブＣＰＵ８１は、主制御回路７１から送信された各種コマンドに基づいて、上記制御ＲＯＭ８２内に記憶された制御用プログラム等に従い、映像、音、光の出力を制御する。また、ＳＤＲＡＭ８３は、サブＣＰＵ８１が上記制御用プログラムを実行する場合の、作業用の一時記憶手段として構成される。ＳＤＲＡＭ８３には、後述の遊技状態等の各種情報が格納される。
【００４３】
レンダリングプロセッサ８４は、サブＣＰＵ８１と接続されており、サブＣＰＵ８１により出力されるコマンドに応じて、レンダリングを行う。レンダリングプロセッサ８４が行うタスクに必要なデータは起動時に描画用ＳＤＲＡＭ８５に展開される。描画が行われた映像は、ドライバ８７を介して液晶表示装置５により表示される。Ａ／Ｄ変換器８８は、サブＣＰＵ８１と接続されており、サブＣＰＵ８１により出力されるコマンドに応じて、音楽データのデジタルからアナログへの変換を行う。アナログに変換が行われると、アンプ８９を介してスピーカ２１Ｌ，２１Ｒにより出力される。また、サブＣＰＵ８１には、ＬＥＤ１０１が接続されており、サブＣＰＵ８１により出力される信号及び電力に基づいて光が出力される。
【００４４】
次に、図５を参照して、主制御回路７１の内部抽籤テーブル決定テーブルについて説明する。
【００４５】
内部抽籤テーブル決定テーブルでは、主制御回路７１において管理される遊技状態の種別に応じて決定される内部抽籤テーブルの種別と抽籤回数とが規定されている。一般遊技状態では、一般遊技状態用内部抽籤テーブルが決定され、投入枚数が１のときに抽籤回数が１０に決定される一方、投入枚数が３のときに抽籤回数が１３に決定される。後述のミドルボーナス（以下、「ＭＢ」と略記する）遊技状態では、一般遊技状態用内部抽籤テーブルが決定され、抽籤回数が５に決定される。後述のレギュラーボーナス（以下、「ＲＢ」と略記する）遊技状態では、ＲＢ遊技状態用内部抽籤テーブルが決定され、抽籤回数が５に決定される。
【００４６】
次に、図６を参照して、主制御回路７１の内部抽籤テーブルについて説明する。
【００４７】
内部抽籤テーブルでは、各当籤番号に応じて割り当てられた乱数値の下限値及び上限値（即ち、下限値以上且つ上限値以下の数値の範囲）が規定されている。当籤番号は、内部抽籤テーブルに規定される複数の数値の範囲を識別するためのデータであり、後述の内部当籤役の決定等を行う際に用いられるデータである。
【００４８】
内部抽籤テーブルでは、「０〜６５５３５」の範囲から抽出された乱数値が、前述の各当籤番号の数値範囲に属するか否かの判定が行われる。前述の抽籤回数は、この判定を行う回数を示す。抽籤回数分の判定を行った結果、乱数値格納領域に格納されたが何れかの数値範囲に属するとき、該当する当籤番号が決定される。尚、抽出された乱数値が何れの数値範囲にも属さなければ、当籤番号が０に決定される。また、各当籤番号の当籤確率は、「各当籤番号に規定された上限値と下限値との差に１を加えた数（即ち、数値範囲の大きさであり、図中における幅と等しい）／抽出される可能性のある全ての乱数値の個数（即ち６５５３６）」により算出することができる。
【００４９】
図６の（１）は、投入枚数が３のときに使用される一般遊技状態用内部抽籤テーブルを示す。投入枚数が３のときに使用される一般遊技状態用内部抽籤テーブルでは、設定値格納領域に格納される設定値（即ち、１〜６）毎に、当籤番号１〜当籤番号１３に応じた下限値及び上限値が規定されている。設定値格納領域に格納されている設定値が大きいほど、後述のボーナスゲームの作動に係る当籤番号（即ち、当籤番号１０〜当籤番号１３）の当籤確率が高くなっている。後述するが、投入枚数が３のときに、当籤番号３〜当籤番号１３の何れかが決定されると、決定された当籤番号の値に１が加算される処理が行われる（即ち、後述のベル２は決定されることがない）。
【００５０】
図６の（２）は、投入枚数が１のときに使用される一般遊技状態用内部抽籤テーブルを示す。投入枚数が１のときに使用される一般遊技状態用内部抽籤テーブルでは、設定値格納領域に格納される全ての設定値に共通して、当籤番号１〜当籤番号１０に応じた下限値及び上限値が規定されている。投入枚数が１のときに使用される一般遊技状態用内部抽籤テーブルでは、基本的に、後述のボーナスゲームの作動に係る当籤番号が決定されることがない。
【００５１】
図６の（３）は、ＲＢ遊技状態用内部抽籤テーブルを示す。ＲＢ遊技状態用内部抽籤テーブルでは、当籤番号１〜当籤番号５に応じた下限値及び上限値が規定されている。ＲＢ遊技状態用内部抽籤テーブルでは、一般遊技状態用内部抽籤テーブルと比べて、当籤番号４（後述のベル１）の当籤確率が極めて高い構成となっている。
【００５２】
ここで、前述の各内部抽籤テーブルでは、複数の当籤番号について共通の数値が規定されているものがあり、抽出された乱数値がこの共通する数値に該当するときには、複数の当籤番号が共に決定される構成となっている。一般遊技状態用内部抽籤テーブルを参照すると、抽出された乱数値が例えば「７４３５〜７４４０」の範囲であるときには、当籤番号１（後述のチェリー）と当籤番号１３（後述のＢＢ１）とが共に決定されることとなる。このように、ボーナスゲームの作動に係る当籤番号と他の当籤番号とが共に決定される構成を採用することにより、遊技者が期待を抱く機会を多く提供することができ、興趣の向上を図ることができる。
【００５３】
次に、図７を参照して、主制御回路７１の内部当籤役決定テーブルについて説明する。
【００５４】
内部当籤役決定テーブルでは、前述の当籤番号に応じた内部当籤役が規定されている。具体的には、当籤番号１〜当籤番号１４の夫々に応じて、チェリー、特殊小役、ベル２、ベル１、スイカ、リプレイ５、リプレイ４、リプレイ３、リプレイ２、リプレイ１、ＭＢ、ＢＢ３、ＢＢ２、及びＢＢ１の夫々が規定されている。後述の内部抽籤処理により当籤番号が決定されると、この当籤番号に応じた内部当籤役が決定されるため、当籤番号の決定と内部当籤役の決定とは等価の関係にあるといえる。各内部当籤役は、夫々が１バイトのデータ構成を有する後述の内部当籤役１格納領域及び内部当籤役２格納領域からなる２バイトのデータにより表される。
【００５５】
次に、図８を参照して、主制御回路７１の図柄組合せテーブルについて説明する。
【００５６】
図柄組合せテーブルでは、特典の付与に係る図柄の組合せと、これに対応する表示役及び払出枚数とが規定されている。表示役は、図柄表示手段により表示される図柄の組合せの種別を識別するためのデータである。各表示役を表すデータは、前述の内部当籤役と同様の内容となっている。
【００５７】
左リール３Ｌのチェリーが左表示窓４Ｌ内の上段、中段及び下段の何れかに表示されると、残りの表示窓４Ｃ，４Ｒ内に表示される図柄の種別に拘らず、表示役がチェリーと決定される。チェリーに対応する払出枚数は、投入枚数１のときは１５であり、投入枚数３のときは１である。また、左リール３Ｌの桃７、中リール３Ｃの赤７及び右リール３Ｒの赤７が一の有効ラインに沿って並んで表示されると、表示役が特殊小役と決定される。特殊小役に対応する払出枚数は、投入枚数１のとき及び投入枚数３のときに共通して１４である。
【００５８】
左リール３ＬのバーサスＶ、中リール３Ｃのベル及び右リール３Ｒのベルが一の有効ラインに沿って並んで表示されると、表示役がベル２と決定される。ベル２に対応する払出枚数は１５である。尚、ベル２は、投入枚数３のときに決定されることがない。また、各リール３Ｌ，３Ｃ，３Ｒのベルが一の有効ラインに沿って３つ並んで表示されると、表示役がベル１と決定される。ベル１に対応する払出枚数は、投入枚数１のときは１５であり、投入枚数３のときは１０である。また、各リール３Ｌ，３Ｃ，３Ｒのスイカが一の有効ラインに沿って３つ並んで表示されると、表示役がスイカと決定される。スイカに対応する払出枚数は、投入枚数１のとき及び投入枚数３のときに共通して６である。
【００５９】
左リール３ＬのバーサスＶ、中リール３ＣのサンダーＶ及び右リール３ＲのＶが一の有効ラインに沿って並んで表示されると、表示役がリプレイ５と決定される。また、左リール３ＬのＶ、中リール３ＣのサンダーＶ及び右リール３ＲのＶが一の有効ラインに沿って並んで表示されると、表示役がリプレイ４と決定される。また、左リール３ＬのＶ、中リール３ＣのサンダーＶ及び右リール３ＲのサンダーＶが一の有効ラインに沿って並んで表示されると、表示役がリプレイ３と決定される。また、左リール３ＬのサンダーＶ、中リール３Ｃのリプレイ及び右リール３Ｒのリプレイが一の有効ラインに沿って並んで表示されると、表示役がリプレイ２と決定される。また、各リール３Ｌ，３Ｃ，３Ｒのリプレイが一の有効ラインに沿って３つ並んで表示されると、表示役がリプレイ１と決定される。
【００６０】
上記リプレイ１〜リプレイ５の何れかが決定されると、再遊技の作動が行われる。即ち、これらが表示役として決定されたときの投入枚数と同数のメダルが、遊技者による投入操作に基づかずに、自動的に投入される。従って、遊技者は次回において所有するメダルを消費することがない。
【００６１】
左リール３ＬのバーサスＶ、中リール３ＣのサンダーＶ及び右リール３ＲのＢＡＲが一の有効ラインに沿って並んで表示されると、表示役がＭＢと決定される。ＭＢが決定されると、ＭＢの作動が開始される。また、左リール３ＬのバーサスＶ、中リール３ＣのサンダーＶ及び右リール３ＲのサンダーＶが一の有効ラインに沿って並んで表示されると、表示役がＢＢ３と決定される。また、各リール３Ｌ，３Ｃ，３ＲのサンダーＶが一の有効ラインに沿って３つ並んで表示されると、表示役がＢＢ２と決定される。また、各リール３Ｌ，３Ｃ，３Ｒの赤７が一の有効ラインに沿って３つ並んで表示されると、表示役がＢＢ１と決定される。ＢＢ１〜ＢＢ３の何れかが決定されると、ＢＢの作動が開始される。
【００６２】
尚、表示窓４Ｌ，４Ｃ，４Ｒにより表示される図柄の組合せが前述の図柄組合せテーブルに規定された図柄の組合せの何れにも該当しない場合には、表示役がハズレと決定される。ここで、チェリー、特殊小役、ベル２、ベル１、及びスイカは、メダルの払い出しに係るものである。また、リプレイ１〜リプレイ５は、再遊技の作動に係るものである。また、ＭＢ及びＢＢ１〜ＢＢ３は、遊技者にとって相対的に有利なボーナスゲームの作動に係るものである。
【００６３】
次に、図９を参照して、ボーナス作動時テーブルについて説明する。
【００６４】
ボーナス作動時テーブルには、ボーナスゲームの作動の開始時に、ＲＡＭ３３の所定領域に格納されるデータが規定されている。ＢＢの作動時には、後述のＲＡＭ３３の作動中フラグ格納領域におけるＢＢ作動中フラグがオンされ、ボーナス終了枚数カウンタに３４５が格納される。また、ＭＢの作動時には、後述のＲＡＭ３３の作動中フラグ格納領域におけるＭＢ作動中フラグがオンされ、ボーナス終了枚数カウンタに２５０が格納される。ボーナス終了枚数カウンタは、ＢＢの作動中（又はＭＢの作動中）における払出枚数の総数を計数するためのデータである。
【００６５】
次に、図１０を参照して、主制御回路７１のＲＡＭ３３の内部当籤役格納領域の構成について説明する。
【００６６】
内部当籤役が決定されると、決定された内部当籤役を示す識別子（フラグ）が各内部当籤役格納領域に格納（記憶）される。図１０の（１）に示す内部当籤役１格納領域のビット０〜７の夫々は、チェリー、特殊小役、ベル２、ベル１、スイカ、リプレイ５、リプレイ４、及びリプレイ３の夫々に対応している。また、図１０の（２）に示す内部当籤役２格納領域のビット０〜５の夫々は、リプレイ２、リプレイ１、ＭＢ、ＢＢ３、ＢＢ２、及びＢＢ１の夫々に対応している（尚、ビット６及びビット７は未使用）。尚、表示役格納領域の構成は、この内部当籤役格納領域の構成と同様の内容となっている。
【００６７】
次に、図１１を参照して、主制御回路７１のＲＡＭ３３の持越役格納領域の構成について説明する。
【００６８】
前述の内部当籤役決定テーブルによりボーナスゲームの作動に係る内部当籤役が決定されると、それを示す識別子がこの持越役格納領域に格納される。持越役格納領域は、内部当籤役２格納領域の構成と同様に、ビット２〜ビット５の夫々が、ＭＢ、ＢＢ３、ＢＢ２、及びＢＢ１の夫々に対応している。また、持越役格納領域に格納された識別子は、ボーナスゲームの作動が開始されることによりクリアされる。即ち、ボーナスゲームの作動に係る内部当籤役が決定されると、そのボーナスゲームの作動が開始されるまでの間、その識別子が記憶される構成となっている（いわゆる「持ち越し」と称され、格納されている識別子は「持越役」と称される）。そして、持越役格納領域に識別子が格納されている間は、抽出される乱数値にかかわらず、その格納されている識別子が内部当籤役として決定されるようになっている。また、持越役は、内部当籤役に基づいて決定されることから、内部当籤役の下位概念とも言える。
【００６９】
次に、図１２を参照して、主制御回路７１のＲＡＭ３３の作動中フラグ格納領域の構成について説明する。
【００７０】
ボーナスゲームの作動が開始される場合には、作動が開始されるボーナスゲームの種別を示す識別子がこの作動中フラグ格納領域に格納される。具体的に、ビット０〜ビット２の夫々は、ＢＢ作動中フラグ、ＭＢ作動中フラグ、及びＲＢ作動中フラグの夫々に対応している。
【００７１】
次に、図１３を参照して、副制御回路７２の演出テーブル選択テーブルについて説明する。また、図１４は、遊技状態と、内部当籤役と、選択される演出テーブルと、の対応表を示す。
【００７２】
演出テーブル選択テーブルには、内部当籤役の種別毎に、選択される演出テーブルの種別が規定されている。図１３の（１）に示す第１演出テーブル選択テーブルでは、「ハズレ」、「チェリー」、「ベル１」、「スイカ」、「リプレイ１〜リプレイ５」、「ＭＢ」、及び「ＢＢ１〜ＢＢ３」の各内部当籤役の種別に応じて、「１１」〜「１７」の各演出テーブルが規定されている。図１３の（２）に示す第２演出テーブル選択テーブルでは、「チェリー」、「チェリー＋特殊小役」、「ベル１」、「スイカ」、及び「リプレイ１〜リプレイ５」の各内部当籤役の種別に応じて、「２１」〜「２５」の各演出テーブルが規定されている。図１３の（３）に示す第３演出テーブル選択テーブルでは、「チェリー」、「チェリー＋特殊小役」、「ベル１」、「スイカ」、「リプレイ１〜リプレイ５」、及び「ハズレ」の各内部当籤役の種別に応じて、「３１」〜「３６」の各演出テーブルが規定されている。
【００７３】
第１演出テーブル選択テーブル及び第２演出テーブル選択テーブルは、副制御回路７２において管理される遊技状態（以下、遊技状態（サブ）という）が一般遊技状態であるとき（即ち、持越役格納領域にボーナスゲームの作動に係る内部当籤役の識別子が格納されていないとき）に使用される。また、第２演出テーブル選択テーブルは、内部抽籤処理によって一の乱数値に基づいてボーナスゲームの作動に係る内部当籤役及び他の内部当籤役が共に決定されるときに使用される。また、第３演出テーブル選択テーブルは、遊技状態（サブ）が内部当籤状態であるとき（即ち、持越役格納領域にボーナスゲームの作動に係る内部当籤役の識別子が格納されているとき）に使用される。
【００７４】
次に、図１５〜図２５を参照して、副制御回路７２の演出テーブルについて説明する。
【００７５】
演出テーブルには、演出の内容として、遊技開始音、停止連動演出、及び全停止演出からなる演出の組合せが複数種類規定されており、各演出の組合せに応じて割り当てられた選択率（分母は１２８）が規定されている。演出テーブルでは、「０〜１２７」の範囲から抽出された乱数値と上記選択率に基づいて何れかの演出の内容の決定が行われる。選択率は、抽出されうる全ての乱数値の個数（即ち、１２８）のうち、各演出の内容に割り当てられた数値の範囲の幅を表す。
【００７６】
遊技開始音は、開始操作の検出に基づいてスピーカ２１Ｌ，２１Ｒにより出力される音である。演出テーブルでは、その種別として「１」、「２」、及び「３」が規定されている。停止連動演出は、上記遊技開始音の出力に続き、各リール３Ｌ，３Ｃ，３Ｒに対する停止操作の検出に基づいて行われる演出である。演出テーブルでは、その種別として「無し」、「１消灯」、「２消灯」、「３消灯」、「１落雷」、「２落雷」、及び「３落雷」が規定されている。停止連動演出は、「無し（後述の図４３参照）」、「消灯系（後述の図４０〜図４２参照）」、又は「落雷系（後述の図４４参照）」の３つに大別することができる。
【００７７】
全停止演出は、上記停止連動演出に続き、全てのリールの回転が停止されることに基づいて行われる演出である。演出テーブルでは、その種別として「無し」、「横一文字」、「ローリング」、「Ｗ字」、「Ｖ字」、「ナイアガラ」、「五月雨」、「逆Ｗ字」、「逆横一文字」、及び「落雷ＳＰ」が規定されている。全停止演出には、停止連動演出が「消灯系」であるときに行われるもの（これを消灯系全停止演出という）と、「落雷系」であるときに行われるもの（これを落雷系全停止演出という）の２通りが規定されている。
【００７８】
消灯系全停止演出は、各表示窓４Ｌ，４Ｃ，４Ｒ内における上段、中段、及び下段の各領域の周辺の表示領域が予め定められたパターンに従って順次発光する様子を示す映像（これを第１フラッシュ映像という）が表示される（後述の図４５〜図５０参照）。また、落雷系全停止演出は、演出表示領域２３の所定の表示領域（例えば、表示窓４Ｌ，４Ｃ，４Ｒの下方の表示領域）において、放電によって生じた火花が予め定められたパターンに従って動作する様子を示す映像（これを第２フラッシュ映像という）が表示される（後述の図５１〜図５７参照）。
【００７９】
図１５〜図１７は、前述の第１演出テーブル選択テーブルに規定される演出テーブル１１〜演出テーブル１７からなる演出テーブル群Ａを示す。図１８〜図２０は、前述の第２演出テーブル選択テーブルに規定される演出テーブル２１〜演出テーブル２５からなる演出テーブル群Ｂを示す。図２１〜図２５は、前述の第３演出テーブル選択テーブルに規定される演出テーブル３１〜演出テーブル３６からなる演出テーブル群Ｃを示す。各演出テーブルでは、選択され易い（又は選択され難い）演出の内容が夫々で異なっており、実行される演出の内容によって何れの内部当籤役が決定されているのかを遊技者が推測することが可能となっている。
【００８０】
例えば、演出テーブル群Ａを参照すると、演出テーブル１１は、遊技開始音として「１」が選択され易く、「２」及び「３」が選択され難いので、遊技開始音として「１」が出力される頻度が高いと、一般遊技状態（サブ）において内部当籤役としてハズレが決定された可能性が高いと推測することが可能となる。また、演出テーブル１２は、全停止演出として「横一文字」が選択され易いので、これが行われる頻度が高いと、一般遊技状態（サブ）において内部当籤役としてチェリーが決定された可能性が高いと推測することが可能となる。
【００８１】
また、演出テーブル１３は、全停止演出として「ローリング」が選択され易いので、これが行われる頻度が高いと、一般遊技状態（サブ）において内部当籤役としてベル１が決定された可能性が高いと推測することが可能となる。また、演出テーブル１４は、全停止演出として「Ｗ字」が選択され易いので、これが行われる頻度が高いと、一般遊技状態（サブ）において内部当籤役としてスイカが決定された可能性が高いと推測することが可能となる。また、演出テーブル１５は、全停止演出として「ナイアガラ」が選択され易いので、これが行われる頻度が高いと、一般遊技状態（サブ）において内部当籤役としてリプレイ１〜リプレイ５が決定された可能性が高いと推測することが可能となる。
【００８２】
また、演出テーブル１６は、遊技開始音として「３」、停止連動演出として「３消灯」（又は「３落雷」）、及び、全停止演出として「Ｖ字」が選択され易いので、これらが行われる頻度が高いと、一般遊技状態（サブ）において内部当籤役としてＭＢが決定された可能性が高いと推測することが可能となる。また、演出テーブル１７は、遊技開始音として「３」、停止連動演出として「３消灯」（又は「３落雷」）、及び、全停止演出として「Ｖ字」（又は「落雷ＳＰ」）が選択され易いので、これが行われる頻度が高いと、一般遊技状態（サブ）において内部当籤役としてＢＢ１〜ＢＢ３が決定された可能性が高いと推測することが可能となる。
【００８３】
次に、図２６を参照して、全停止演出変更データについて説明する。
【００８４】
全停止演出変更テーブルは、一般遊技状態（サブ）において内部当籤役にＢＢ１、ＢＢ２、ＢＢ３、又はＭＢが含まれていない場合において、予め定められた全停止演出（即ち、「横一文字」、「ナイアガラ」、「五月雨」、「Ｗ字」、又は「ローリング」）が選択されたときに使用され、当該予め定められた全停止演出を特殊な全停止演出（即ち、「特殊横一文字」、「特殊ナイアガラ」、「特殊五月雨」、「特殊Ｗ字」、又は「特殊ローリング」）に変更するか否かの決定が行われる。全停止演出変更テーブルでは、設定値格納領域に格納される設定値毎に、上記特殊な全停止演出への変更が決定される（即ち、当籤となる）乱数値の下限値及び上限値が規定されている。全停止演出変更テーブルでは、設定値が大きいほど、上記特殊な全停止演出への変更が決定される確率が高い。従って、特殊な全停止演出が実行される頻度によって、設定値の推測を行うことが可能となる。
【００８５】
次に、図２７〜図３４に示すフローチャートを参照して、主制御回路７１のＣＰＵ３１が行う制御について説明する。
【００８６】
先ず、図２７を参照して、主制御回路７１のＣＰＵ３１により行われるリセット割込処理について説明する。ＣＰＵ３１は、電源が投入され、リセット端子に電圧が印加されることにより、リセット割込を発生させ、そのリセット割込の発生に基づいて、ＲＯＭ３２に記憶されたリセット割込処理を順次行うように構成されている。
【００８７】
電源が投入されると、初めに、ＣＰＵ３１は、初期化処理を行う（ステップＳ１）。この処理では、電源遮断時にＲＡＭ３３に格納されたレジスタのデータや実行アドレスの復帰を行う処理などが行われる。また、この初期化処理では、設定スイッチ１９Ｓの入力のチェックが行われ、設定スイッチ１９Ｓがオンであると判別した場合には、設定値の変更が行われる。具体的には、リセットスイッチ２０Ｓ及びスタートスイッチ６Ｓの入力に基づいて、設定値「１」〜「６」のうちの何れかがＲＡＭ３３の設定値格納領域に格納される。次に、ＣＰＵ３１は、ＲＡＭ３３における指定格納領域のクリアを行う（ステップＳ２）。この処理では、ＲＡＭ３３の各種格納領域等に格納されたデータがクリアされる。
【００８８】
次に、ＣＰＵ３１は、後で図２８を参照して説明するボーナス作動監視処理を行う（ステップＳ３）。この処理では、ＢＢ作動中フラグがオンである場合に、ＲＢの作動を行うか否かのチェックが行われる。次に、ＣＰＵ３１は、後で図２９を参照して説明するメダル受付・スタートチェック処理を行う（ステップＳ４）。この処理では、メダルセンサ２２Ｓ及びベットスイッチ１１Ｓ，１２Ｓ，１３Ｓの入力のチェックに基づく投入枚数カウンタ等の更新や、スタートスイッチ６Ｓの入力のチェックが行われる。次に、ＣＰＵ３１は、乱数値を抽出し、乱数値格納領域に格納する（ステップＳ５）。
【００８９】
次に、ＣＰＵ３１は、遊技状態監視処理を行う（ステップＳ６）。この処理では、ＲＢ作動中フラグがオンであればＲＢ遊技状態を示す識別子（いわゆるフラグ）がＲＡＭ３３に格納され、ＭＢ作動中フラグがオンであればＭＢ遊技状態を示す識別子がＲＡＭ３３に格納され、ＲＢ作動中フラグ及びＭＢ作動中フラグの両方がオフであれば一般遊技状態を示す識別子がＲＡＭ３３に格納される。次に、ＣＰＵ３１は、後で図３０を参照して説明する内部抽籤処理を行う（ステップＳ７）。この処理では、乱数値格納領域に格納されている乱数値が内部抽籤テーブルに規定されている複数の数値範囲のうち何れに属するかの判別が行われ、当該判別結果に基づいて内部当籤役が決定される。
【００９０】
次に、ＣＰＵ３１は、スタートコマンドを副制御回路７２に対して送信する（ステップＳ８）。スタートコマンドには、内部当籤役や遊技状態などのデータが含まれている。次に、ＣＰＵ３１は、全リールの回転開始を要求する（ステップＳ９）。尚、全リールの回転開始が要求されると、後述する割込処理（図３４参照）においてリールの回転を開始する処理が行われる。そして、全てのリール３Ｌ，３Ｃ，３Ｒの回転が定速に達すると、各ストップボタン７Ｌ，７Ｃ，７Ｒの押圧操作が有効であることを示す識別子がＲＡＭ３３に格納され、押圧操作の有効化が行われる。
【００９１】
次に、ＣＰＵ３１は、後で図３１を参照して説明するリール停止制御処理を行う（ステップＳ１０）。この処理では、各リール３Ｌ，３Ｃ，３Ｒの回転を停止する処理が行われる。次に、ＣＰＵ３１は、図柄組合せテーブルを参照し、有効ラインに沿って表示される図柄の組合せに基づいて表示役等を決定する処理を行う（ステップＳ１１）。この処理では、図柄組合せテーブルに規定されている図柄の組合せと有効ライン８ａ〜８ｅに沿って表示される図柄の組合せとが比較され、一致するか否かが判別される。そして、一致するときに、該当する表示役及び払出枚数が決定され、各表示役格納領域及び払出枚数カウンタが更新される。一致しないときには、表示役はハズレとなる。
【００９２】
次に、ＣＰＵ３１は、表示コマンドを副制御回路７２に対して送信する（ステップＳ１２）。表示コマンドには、決定された表示役などのデータが含まれている。次に、ＣＰＵ３１は、メダル払出処理を行う（ステップＳ１３）。この処理では、払出枚数カウンタに基づいて、ホッパー４０の制御によるメダルの排出やクレジットカウンタの更新が行われる。次に、ＣＰＵ３１は、払出枚数に基づいて、ボーナス終了枚数カウンタを更新する（ステップＳ１４）。この処理では、ボーナス終了枚数カウンタが１以上であることを条件に、当該カウンタから払出枚数に応じた値が減算される。
【００９３】
次に、ＣＰＵ３１は、ＲＢ、ＢＢ、又はＭＢ作動中フラグがオンであるか否かを判別する（ステップＳ１５）。ＣＰＵ３１は、ＲＢ、ＢＢ、又はＭＢ作動中フラグのうち何れかがオンであると判別したときには、後で図３３を参照して説明するボーナス終了チェック処理を行う（ステップＳ１６）。この処理では、ボーナスゲームの作動時にＲＡＭ３３に格納される各種カウンタに基づいて、ボーナスゲームの作動を終了するか否かのチェックが行われる。ＣＰＵ３１は、ステップＳ１６、又は、ステップＳ１５においてＲＢ、ＢＢ、又はＭＢ作動中フラグの何れもオンではないと判別したときには、後で図３２を参照して説明するボーナス作動チェック処理を行う（ステップＳ１７）。この処理では、決定された表示役の種別に基づいて、ボーナスの作動を開始か否かのチェックが行われる。この処理が終了すると、ステップＳ２に移る。
【００９４】
次に、図２８を参照して、ボーナス作動監視処理について説明する。
【００９５】
初めに、ＣＰＵ３１は、ＢＢ作動中フラグがオンであるか否かを判別する（ステップＳ３１）。ＣＰＵ３１は、ＢＢ作動中フラグがオンではないと判別したときには、ボーナス作動監視処理を終了する。ＣＰＵ３１は、ＢＢ作動中フラグがオンであると判別したときには、ＲＢ作動中フラグはオンであるか否かを判別する（ステップＳ３２）。ＣＰＵ３１は、ＲＢ作動中フラグはオンであると判別したときには、ボーナス作動監視処理を終了する。
【００９６】
ＣＰＵ３１は、ステップＳ３２においてＲＢ作動中フラグはオンではないと判別したときには、ボーナス作動時テーブルに基づいてＲＢ作動時処理を行う（ステップＳ３３）。このように、本実施の形態では、ＢＢ作動中フラグがオンであればＲＢの作動が終了しても次の単位遊技において直ちにＲＢの作動が開始されて、ＲＢの作動が連続的に行われる構成となっている。この処理が終了すると、ボーナス作動監視処理を終了する。
【００９７】
次に、図２９を参照して、メダル受付・スタートチェック処理について説明する。
【００９８】
初めに、ＣＰＵ３１は、自動投入カウンタは０であるか否かを判別する（ステップＳ５１）。自動投入カウンタは、リプレイに係る図柄の組合せが表示されたか否かを識別し、表示されたときの投入枚数を特定するためのデータである。ＣＰＵ３１は、自動投入カウンタは０であると判別したときには、メダル通過許可を行う（ステップＳ５２）。具体的には、メダル投入口２２から放り込まれたメダルの通過がメダルセンサ２２Ｓにより検出されるように、セレクタ（図示せず）のソレノイドがオンされる。
【００９９】
ＣＰＵ３１は、ステップＳ５１において自動投入カウンタは０ではないと判別したときには、自動投入カウンタを投入枚数カウンタに複写する（ステップＳ５３）。次に、ＣＰＵ３１は、自動投入カウンタをクリアする（ステップＳ５４）。ＣＰＵ３１は、ステップＳ５４の後、又は、ステップＳ５２の後には、メダル通過許可であることを条件に、メダルが通過したか否かを判別する（ステップＳ５５）。即ち、メダルセンサ２２Ｓがオンである場合に、メダルが通過したと判別される。
【０１００】
ＣＰＵ３１は、ステップＳ５５においてメダルが通過したと判別したときには、投入枚数カウンタは最大値（具体的には、ＢＢ作動中フラグ又はＭＢ作動中フラグがオンのときは「１」、それ以外のときは「３」）であるか否かを判別する（ステップＳ５６）。ＣＰＵ３１は、投入枚数カウンタは最大値ではないと判別したときには、投入枚数カウンタを１加算する（ステップＳ５７）。次に、ＣＰＵ３１は、有効ラインカウンタに５を格納する（ステップＳ５８）。有効ラインカウンタは、有効ラインの数を特定するためのデータであり、当該カウンタの値に基づいて表示役の検索が行われる。次に、ＣＰＵ３１は、メダル投入コマンドを副制御回路７２に対して送信する（ステップＳ５９）。メダル投入コマンドには、投入枚数カウンタのデータ等が含まれる。
【０１０１】
ＣＰＵ３１は、ステップＳ５６において投入枚数カウンタは最大値であると判別したときには、クレジットカウンタを１加算する（ステップＳ６０）。クレジットカウンタは、クレジットされるメダルの枚数を計数するためのデータである。次に、ＣＰＵ３１は、ステップＳ６０の後、ステップＳ５５においてメダル通過禁止であるか、メダルが通過していないと判別したとき、又は、ステップＳ５９の後には、ベットスイッチのチェックを行う（ステップＳ６１）。具体的には、ベットスイッチ１１Ｓ，１２Ｓ，１３Ｓがオンである場合は、その種別が特定され、投入枚数カウンタ、クレジットカウンタ、及び（遊技状態に応じて設定される）投入枚数カウンタの最大値に基づいて、投入枚数カウンタに加算する値が算出され、投入枚数カウンタが更新される。
【０１０２】
次に、ＣＰＵ３１は、投入枚数カウンタは３であるか否かを判別する（ステップＳ６２）。ＣＰＵ３１は、投入枚数カウンタは３ではないと判別したときには、ステップＳ５５に移る。ＣＰＵ３１は、投入枚数カウンタは３であると判別したときには、スタートスイッチ６Ｓはオンであるか否かを判別する（ステップＳ６３）。ＣＰＵ３１は、スタートスイッチ６Ｓはオンではないと判別したときには、ステップＳ５５に移る。ＣＰＵ３１は、スタートスイッチ６Ｓはオンであると判別したときには、メダル通過禁止を行う（ステップＳ６４）。具体的には、以後、メダル投入口２２から放り込まれたメダルがメダル払出口１５から排出されるようにして、メダル投入口２２から放り込まれたメダルの通過がメダルセンサ２２Ｓにより検出されないように、セレクタ（図示せず）のソレノイドがオフされる。この処理が終了すると、メダル受付・スタートチェック処理を終了する。
【０１０３】
次に、図３０を参照して、内部抽籤処理について説明する。
【０１０４】
初めに、ＣＰＵ３１は、遊技状態と、内部抽籤テーブル決定テーブルと投入枚数カウンタに基づいて、内部抽籤テーブルの種別と抽籤回数を決定する（ステップＳ９１）。次に、ＣＰＵ３１は、持越役格納領域にＢＢ１、ＢＢ２、ＢＢ３、又はＭＢを示す識別子が格納されているか否かを判別する（ステップＳ９２）。ＣＰＵ３１は、持越役格納領域にＢＢ１、ＢＢ２、ＢＢ３、又はＭＢを示す識別子が格納されていると判別したときには、投入枚数カウンタは１であるか否かを判別する（ステップＳ９３）。ＣＰＵ３１は、投入枚数カウンタは１ではないと判別したときには、抽籤回数を９に変更する（ステップＳ９４）。これによって、持越役が存在するときには、ＢＢ１、ＢＢ２、ＢＢ３、又はＭＢが重複して決定されないようになる。
【０１０５】
ＣＰＵ３１は、ステップＳ９４の後、ステップＳ９３において投入枚数カウンタは１であると判別したとき、又は、ステップＳ９２において持越役格納領域にＢＢ１、ＢＢ２、ＢＢ３、又はＭＢを示す識別子のうちの何れも格納されていないと判別したときには、抽籤回数と同じ値を当籤番号としてセットする（ステップＳ９５）。次に、ＣＰＵ３１は、乱数値格納領域に格納されている乱数値と、設定値格納領域に格納されている設定値、及び現在の当籤番号に応じた下限値及び上限値とを比較する（ステップＳ９６）。次に、ＣＰＵ３１は、乱数値は下限値以上且つ上限値以下であるか否かを判別する（ステップＳ９７）。
【０１０６】
ＣＰＵ３１は、ステップＳ９７において乱数値は下限値以上且つ上限値以下であると判別したときには、投入枚数カウンタは１であるか否かを判別する（ステップＳ９８）。ＣＰＵ３１は、投入枚数カウンタは１ではないと判別したときには、当籤番号は１又は２であるか否かを判別する（ステップＳ９９）。ＣＰＵ３１は、当籤番号は１又は２ではないと判別したときには、当籤番号に１を加算する（ステップＳ１００）。即ち、投入枚数カウンタが１ではないとき（即ち、一般遊技状態において投入枚数カウンタが２又は３のとき）では、内部当籤役としてベル２が決定される可能性がなく、投入枚数カウンタが１であるとき（即ち、ＲＢ遊技状態、ＭＢ遊技状態、又は一般遊技状態において投入枚数カウンタが１のとき）では、内部当籤役としてベル２が決定される可能性がある。
【０１０７】
ＣＰＵ３１は、ステップＳ１００の後、ステップＳ９８において投入枚数カウンタは１であると判別したとき、又は、ステップＳ９９において当籤番号は１又は２であると判別したときには、内部当籤役決定テーブルを参照し、当籤番号に基づいて内部当籤役を決定する（ステップＳ１０１）。次に、ＣＰＵ３１は、決定された内部当籤役を内部当籤役１格納領域及び内部当籤役２格納領域に格納する（ステップＳ１０２）。
【０１０８】
次に、ＣＰＵ３１は、ステップＳ１０２の後、又は、ステップＳ９７において乱数値は下限値以上且つ上限値以下ではないと判別したときには、抽籤回数を１減算する（ステップＳ１０３）。次に、ＣＰＵ３１は、抽籤回数は０であるか否かを判別する（ステップＳ１０４）。ＣＰＵ３１は、抽籤回数は０ではないと判別したときには、ステップＳ９５に移る。ＣＰＵ３１は、抽籤回数は０であると判別したときには、内部当籤役２格納領域と持越役格納領域の論理和を持越役格納領域及び内部当籤役２格納領域に格納する（ステップＳ１０５）。
【０１０９】
次に、ＣＰＵ３１は、ＭＢ遊技状態であるか否かを判別する（ステップＳ１０６）。ＣＰＵ３１は、ＭＢ遊技状態ではないと判別したときには、内部抽籤処理を終了する。ＣＰＵ３１は、ＭＢ遊技状態であると判別したときには、内部当籤役１格納領域のビット０〜ビット４をオンにする（ステップＳ１０７）。即ち、ＭＢ遊技状態では、決定された当籤番号の種別に拘らず（即ち、抽出される乱数値に拘らず）、メダルの払い出しに係る全ての内部当籤役を示すフラグがオンされるので、基本的に、メダルの払い出しに係る図柄の組合せのうちの何れかを有効ラインに表示させることが可能となる。この処理が終了すると、内部抽籤処理を終了する。
【０１１０】
次に、図３１を参照して、リール停止制御処理について説明する。
【０１１１】
初めに、ＣＰＵ３１は、有効なストップボタンが押圧操作されたか否かを判別する（ステップＳ１２１）。ＣＰＵ３１は、有効なストップボタンが押圧操作されていないと判別したときには、ステップＳ１２１の処理を繰り返す。尚、いわゆる自動停止制御を行う場合には、スタートスイッチ６Ｓがオンされたことに基づいて所定時間（例えば、３０秒）が経過したか否かを判別するようにしても良い。ＣＰＵ３１は、ステップＳ１２１において有効なストップボタンが押圧操作されたと判別したときには、押圧操作が行われたストップボタンの種別を特定し、該当するストップボタンの押圧操作を無効化する（ステップＳ１２２）。即ち、該当するストップボタンの押圧操作が無効であることを示す識別子がＲＡＭ３３に格納される。
【０１１２】
次に、ＣＰＵ３１は、チェック回数として５をセットする（ステップＳ１２３）。次に、ＣＰＵ３１は、ＭＢ遊技状態であるか否かを判別する（ステップＳ１２４）。ＣＰＵ３１は、ＭＢ遊技状態であると判別したときには、左ストップボタン７Ｌが押圧操作されたか否かを判別する（ステップＳ１２５）。ＣＰＵ３１は、左ストップボタン７Ｌが押圧操作されたと判別したときには、チェック回数を２に変更する（ステップＳ１２６）。
【０１１３】
ＣＰＵ３１は、ステップＳ１２６の後、ステップＳ１２４においてＭＢ遊技状態ではないと判別したとき、又は、ステップＳ１２５において左ストップボタンが押圧操作されていないと判別したときには、図柄カウンタに対応する図柄位置からチェック回数の範囲内において、最も優先順位の高い図柄位置を検索する（ステップＳ１２７）。例えば、図柄カウンタに対応する図柄位置からチェック回数の範囲内にある各図柄の中に、内部当籤役（即ち、内部当籤役格納領域に格納されているデータ）を満足する図柄があるか否かが検索される。
【０１１４】
このとき、特典の付与に係る図柄の組合せの種別（或いは内部当籤役の種別）に応じて予め規定されている優先順位（例えば、優先順位１としてリプレイ１〜リプレイ５が規定され、優先順位２としてＢＢ１、ＢＢ２、ＢＢ３、及びＭＢが規定され、優先順位３としてチェリー、特殊小役、ベル２、ベル１、及びスイカが規定されている）に基づいて、最も優先順位の高い図柄位置が決定される。尚、最も高い優先順位の図柄位置が複数ある場合には、決定可能な滑り駒数の中から所定の優先順位（例えば、滑り駒数「０」→「１」→「２」→「３」→「４」）にて何れかを決定するようにしても良い。
【０１１５】
ここで、滑り駒数は、ストップスイッチ７Ｓにより停止操作が検出されてから対応するリールの回転が停止する迄のリールの回転量である。言い換えると、ストップスイッチ７Ｓにより停止操作が検出されてから該当するリールの回転が停止する迄の期間において、該当する表示窓の中段を通過する図柄の数である。これは、ストップスイッチ７Ｓにより停止操作が検出されてから更新された図柄カウンタの値により把握される。
【０１１６】
本実施の形態の遊技機１では、基本的に、ストップスイッチ７Ｓにより信号が出力された後、１９０ｍｓｅｃ以内にリール３Ｌ，３Ｃ，３Ｒの回転を停止させる制御が行われ、「０」〜「４」のうちの何れかが滑り駒数として決定される（即ち、前述のように、チェック回数が「５」に決定され、この範囲内で最も優先順位の高い図柄位置が検索される）。また、ＭＢ遊技状態では、３つのリール３Ｌ，３Ｃ，３Ｒのうち、少なくとも１つのリール（本実施の形態では、左リール３Ｌのみを適用）について、ストップスイッチ７Ｓにより信号が出力された後、７５ｍｓｅｃ以内にその回転を停止させる制御が行われ、「０」又は「１」のうちの何れかが滑り駒数として決定される。
【０１１７】
そして、例えば、ストップボタンに対する押圧操作の検出が行われたときに該当するリールの図柄カウンタに対応する図柄位置（これを「停止開始位置」という）が「０」であり、決定された滑り駒数が「４」であれば、図柄位置「４」の図柄を該当する表示窓の中段に表示するように該当するリールの回転を停止することが可能となる。このように、停止開始位置から滑り駒数の範囲内にある図柄をセンターライン８ｃに表示可能とするリールの回転の停止制御を所謂「引き込み」という。また、停止開始位置から滑り駒数分の引き込みが行われて停止されることとなる図柄位置を「停止制御位置」という。
【０１１８】
次に、ＣＰＵ３１は、検索の結果に基づいて滑り駒数を決定する（ステップＳ１２８）。即ち、停止開始位置に基づいて、決定された図柄位置までの移動分（言い換えると、停止開始位置と決定された図柄位置との差分）が滑り駒数として決定される。次に、ＣＰＵ３１は、停止制御位置待ちに移行する（ステップＳ１２９）。例えば、決定された滑り駒数が「２」であり、停止開始位置が「２０」であれば、停止制御位置が「１」に決定される。そして、停止制御位置が決定されると、後述する割込処理（図３４参照）において、当該停止制御位置に基づいて該当リールの回転を停止する処理が行われる。尚、滑り駒数と停止制御位置は、一方が決定されれば、他方も決定される関係にあるため、等価の関係にあるといえる。
【０１１９】
次に、ＣＰＵ３１は、リール停止コマンドを副制御回路７２に対して送信する（ステップＳ１３０）。リール停止コマンドには、停止されたリールの種別などのデータが含まれる。次に、ＣＰＵ３１は、押圧操作が有効なストップボタンがあるか否かを判別する（ステップＳ１３１）。ＣＰＵ３１は、押圧操作が有効なストップボタンがあると判別したときには、ステップＳ１２１に移る。また、ＣＰＵ３１は、押圧操作が有効なストップボタンがないと判別したときには、リール停止制御処理を終了する。
【０１２０】
次に、図３２を参照して、ボーナス作動チェック処理について説明する。
【０１２１】
初めに、ＣＰＵ３１は、表示役はＢＢ１、ＢＢ２、又はＢＢ３であるか否かを判別する（ステップＳ１５１）。ＣＰＵ３１は、表示役はＢＢ１、ＢＢ２、又はＢＢ３であると判別したときには、ボーナス作動時テーブルに基づいてＢＢ作動時処理を行う（ステップＳ１５２）。ＣＰＵ３１は、ステップＳ１５１において表示役はＢＢ１、ＢＢ２、又はＢＢ３ではないと判別したときには、表示役はＭＢであるか否かを判別する（ステップＳ１５３）。ＣＰＵ３１は、表示役はＭＢであると判別したときには、ボーナス作動時テーブルに基づいてＭＢ作動時処理を行う（ステップＳ１５４）。
【０１２２】
ＣＰＵ３１は、ステップＳ１５４の後、又は、ステップＳ１５２の後には、持越役格納領域をクリアする（ステップＳ１５５）。次に、ＣＰＵ３１は、ボーナス開始コマンドを副制御回路７２に対して送信する（ステップＳ１５６）。ボーナス開始コマンドには、作動が開始されるボーナスゲームの種別等が含まれている。この処理が終了すると、ボーナス作動チェック処理を終了する。
【０１２３】
ＣＰＵ３１は、ステップＳ１５３において表示役はＭＢではないと判別したときには、表示役はリプレイ１〜リプレイ５のうちの何れかであるか否かを判別する（ステップＳ１５７）。ＣＰＵ３１は、表示役はリプレイ１〜リプレイ５のうちの何れでもないと判別したときには、ボーナス作動チェック処理を終了する。ＣＰＵ３１は、表示役はリプレイ１〜リプレイ５のうちの何れかであると判別したときには、投入枚数カウンタを自動投入カウンタに複写する（ステップＳ１５８）。この処理が終了すると、ボーナス作動チェック処理を終了する。
【０１２４】
次に、図３３を参照して、ボーナス終了チェック処理について説明する。
【０１２５】
初めに、ＣＰＵ３１は、ＲＢ作動中フラグはオンであるか否かを判別する（ステップＳ１７１）。ＣＰＵ３１は、ＲＢ作動中フラグはオンではないと判別したときには、ボーナス終了枚数カウンタは０であるか否かを判別する（ステップＳ１７２）。ＣＰＵ３１は、ボーナス終了枚数カウンタは０ではないと判別したときには、ボーナス終了チェック処理を終了する。
【０１２６】
ＣＰＵ３１は、ステップＳ１７１においてＲＢ作動中フラグはオンであると判別したときには、入賞が成立したか否かを判別する（ステップＳ１７３）。ＣＰＵ３１は、入賞が成立したと判別したときには、ボーナス終了枚数カウンタは０であるか否かを判別する（ステップＳ１７４）。ＣＰＵ３１は、ボーナス終了枚数カウンタは０であると判別したときには、ＢＢ・ＭＢ終了時処理を行う（ステップＳ１７５）。具体的には、ＲＡＭ３３の前述の作動中フラグ格納領域におけるＭＢ作動中フラグ又はＢＢ作動中フラグのオフや、ボーナス終了枚数カウンタのクリアが行われる。次に、ＣＰＵ３１は、ボーナス終了コマンドを副制御回路７２に対して送信する（ステップＳ１７６）。ボーナス終了コマンドには、作動が終了されるボーナスゲームの種別等が含まれている。この処理が終了すると、ボーナス終了チェック処理を終了する。
【０１２７】
ＣＰＵ３１は、ステップＳ１７４においてボーナス終了枚数カウンタは０ではないと判別したときには、入賞可能回数カウンタを１減算する（ステップＳ１７７）。次に、ＣＰＵ３１は、入賞可能回数カウンタは０であるか否かを判別する（ステップＳ１７８）。ＣＰＵ３１は、入賞可能回数カウンタは０ではないと判別したとき、又は、ステップＳ１７３において入賞が成立していないと判別したときには、遊技可能回数カウンタを１減算する（ステップＳ１７９）。次に、ＣＰＵ３１は、遊技可能回数カウンタは０であるか否かを判別する（ステップＳ１８０）。ＣＰＵ３１は、遊技可能回数カウンタは０ではないと判別したときには、ボーナス終了チェック処理を終了する。
【０１２８】
ＣＰＵ３１は、遊技可能回数カウンタは０であると判別したとき、又は、ステップＳ１７８において入賞可能回数カウンタは０であると判別したときには、ＲＢ終了時処理を行う（ステップＳ１８１）。具体的には、ＲＡＭ３３の前述の作動中フラグ格納領域におけるＲＢ作動中フラグのオフや、入賞可能回数カウンタ及び遊技可能回数カウンタのクリアが行われる。この処理が終了すると、ボーナス終了チェック処理を終了する。
【０１２９】
次に、図３４を参照して、主制御回路７１のＣＰＵ３１の制御により行われる、１．１１７３ｍｓ周期の割込処理について説明する。
【０１３０】
初めに、ＣＰＵ３１は、レジスタの退避を行う（ステップＳ１９１）。次に、ＣＰＵ３１は、入力ポートチェック処理を行う（ステップＳ１９２）。具体的には、ＣＰＵ３１は、各スイッチなどからの信号の入力などをチェックする。次に、ＣＰＵ３１は、リール制御処理を行う（ステップＳ１９３）。具体的には、リールの回転開始要求がされた場合であれば、リール３Ｌ，３Ｃ，３Ｒの回転が開始され、一定速度での回転が行われる。また、停止制御位置が決定された場合であれば、該当リールの図柄カウンタが停止制御位置と同一の値に更新されるのを待って、その回転の減速及び停止が行われる。例えば、図柄カウンタが「０」であり、停止制御位置が「４」であれば、図柄カウンタが「４」に更新されたときにリールの回転が停止される。
【０１３１】
次に、ＣＰＵ３１は、ランプ・７ＳＥＧ駆動処理を行う（ステップＳ１９４）。具体的には、ＣＰＵ３１は、投入枚数カウンタに基づくベットランプ９ａ，９ｂ，９ｃの点灯や、情報表示部１８への払出枚数の表示などの処理を行う。次に、ＣＰＵ３１は、レジスタの復帰を行う（ステップＳ１９５）。この処理が終了すると、１．１１７３ｍｓ周期の割込処理を終了する。
【０１３２】
次に、図３５〜図３９に示すフローチャートを参照して、副制御回路７２のサブＣＰＵ８１が行う制御について説明する。まず、図３５を参照して、サブＣＰＵ８１により行われる主基板通信タスクについて説明する。
【０１３３】
始めに、サブＣＰＵ８１は、主制御回路７１により送信されるコマンドの受信を行う（ステップＳ２０１）。次に、サブＣＰＵ８１は、コマンドの種別を抽出する（ステップＳ２０２）。次に、サブＣＰＵ８１は、前回とは異なるコマンドを受信したか否かを判別する（ステップＳ２０３）。サブＣＰＵ８１は、前回とは異なるコマンドを受信していないと判別したときには、ステップＳ２０１に移る。サブＣＰＵ８１は、前回とは異なるコマンドを受信したと判別したときには、メッセージキューに格納する（ステップＳ２０４）。この処理が終了するとステップＳ２０１に移る。
【０１３４】
次に、図３６を参照して、サブＣＰＵにより行われる演出登録タスクについて説明する。
【０１３５】
初めに、サブＣＰＵ８１は、メッセージキューからメッセージを取り出す（ステップＳ２１１）。次に、サブＣＰＵ８１は、メッセージは有るか否かを判別する（ステップＳ２１２）。サブＣＰＵ８１は、メッセージが有ると判別したときには、メッセージから遊技情報を複写する（ステップＳ２１３）。即ち、各コマンドに含まれる投入枚数、内部当籤役、遊技状態等の各データが複写される。
【０１３６】
次に、サブＣＰＵ８１は、後で図３７を参照して説明する演出内容決定処理を行う（ステップＳ２１４）。この処理では、受信したコマンドの種別に基づいて、演出内容の決定や、決定した演出内容に基づく演出の進行等が行われる。サブＣＰＵ８１は、ステップＳ２１４の後、又は、ステップＳ２１２においてメッセージは無いと判別したときには、上記演出内容決定処理においてセットされた又は進行された演出データに基づいて、アニメーションデータの登録を行う（ステップＳ２１５）。次に、サブＣＰＵ８１は、上記演出内容決定処理においてセットされた又は進行された演出データに基づいて、ＬＥＤデータ・サウンドデータの登録を行う（ステップＳ２１６）。この処理が終了すると、ステップＳ２１１に移る。
【０１３７】
次に、図３７を参照して、サブＣＰＵにより行われる演出内容決定処理について説明する。
【０１３８】
初めに、サブＣＰＵ８１は、スタートコマンド受信時であるか否かを判別する（ステップＳ２２１）。サブＣＰＵ８１は、スタートコマンド受信時であると判別したときには、後で図３８を参照して説明する演出抽籤処理を行う（ステップＳ２２２）。また、この処理により、開始操作の検出に基づいて、決定された遊技開始音の出力が行われる。この処理が終了すると、演出内容決定処理を終了する。
【０１３９】
サブＣＰＵ８１は、ステップＳ２２１においてスタートコマンド受信時ではないと判別したときには、リール停止コマンド受信時であるか否かを判別する（ステップＳ２２３）。サブＣＰＵ８１は、リール停止コマンド受信であると判別したときには、リールの種別等に基づいて演出を進行する（ステップＳ２２４）。この処理により、停止連動演出に基づいて、第１停止操作の検出、第２停止操作の検出、及び第３停止操作の検出に連動した演出の進行が行われる。この処理が終了すると、演出内容決定処理を終了する。
【０１４０】
サブＣＰＵ８１は、ステップＳ２２３においてリール停止コマンド受信時ではないと判別したときには、表示役コマンド受信時であるか否かを判別する（ステップＳ２２５）。サブＣＰＵ８１は、表示役コマンド受信であると判別したときには、表示役に基づいて演出を進行する（ステップＳ２２６）。この処理により、全停止演出に基づいて、全てのリール３Ｌ，３Ｃ，３Ｒの回転が停止したときのフラッシュ映像の表示が行われる。この処理が終了すると、演出内容決定処理を終了する。
【０１４１】
尚、本実施の形態では、全停止演出のうち、消灯系全停止演出と落雷系全停止演出とで、演出の進行が行われる契機を異ならせるようにしても良い。例えば、消灯系全停止演出は、第３停止操作の検出に基づくリール停止コマンド受信時において停止連動演出の後に行われるようにする一方で、落雷系全停止演出は、表示役コマンド受信時に行われるようにしても良い。このとき、本実施の形態のストップスイッチ７Ｓは、停止操作の検出を行う際において、ストップボタンに対する押圧操作が行われている間は（即ち、押され続けている間は）、ＣＰＵ３１に対する出力をＬ（ロー）からＨ（ハイ）に立ち上げ（この状態をオンエッジという）、ストップボタンに対する押圧操作が解除されると（即ち、押されなくなると）、ＣＰＵ３１に対する出力をＨ（ハイ）からＬ（ロー）に立ち下げるようにする（この状態をオフエッジという）。
【０１４２】
そして、前述の図３１のリール停止制御処理のステップＳ１３１において押圧操作が有効なストップボタンがないと検出された後に、第３停止操作の検出時にオフエッジとなったか否かの判別を行い（例えば、これをステップＳ１３２とする）、オフエッジとなったと判別されるまで以降の処理を待機する。上記の構成を採用することによって、第３停止操作においてオフエッジとなるまで、副制御回路７２に対する表示役コマンドの送信が待機される。従って、消灯系全停止演出は、第３停止操作の検出時にオンエッジとなったときを契機として行われるようになる一方で、落雷系全停止演出は、第３停止操作の検出時にオフエッジとなったときを契機に行われるようになる。このようにすると、遊技者は、第３停止操作においてストップボタンを押したままにすることによって、落雷系全停止演出の開始を意図的に遅らせることもできるようになるので、遊技の興趣を向上させることができる。
【０１４３】
サブＣＰＵ８１は、ステップＳ２２５において表示役コマンド受信時ではないと判別したときには、ボーナス開始コマンド受信時であるか否かを判別する（ステップＳ２２７）。サブＣＰＵ８１は、ボーナス開始コマンド受信であると判別したときには、ボーナスゲームの種別に応じて演出データをセットする（ステップＳ２２８）。次に、ボーナスゲームの種別に応じて、（ＳＤＲＡＭ８３における遊技状態の識別子を）ＢＢ遊技状態（サブ）又はＭＢ遊技状態（サブ）に変更する（ステップＳ２２９）。この処理が終了すると、演出内容決定処理を終了する。
【０１４４】
サブＣＰＵ８１は、ステップＳ２２７においてボーナス開始コマンド受信時ではないと判別したときには、ボーナス終了コマンド受信時であるか否かを判別する（ステップＳ２３０）。サブＣＰＵ８１は、ボーナス終了コマンド受信であると判別したときには、ボーナスゲーム終了時用の演出データをセットする（ステップＳ２３１）。次に、サブＣＰＵ８１は、（ＳＤＲＡＭ８３における遊技状態の識別子を）一般遊技状態（サブ）に変更する（ステップＳ２３２）。この処理が終了すると、演出内容決定処理を終了する。サブＣＰＵ８１は、ステップＳ２３０においてボーナス終了コマンド受信時ではないと判別したときには、投入枚数に基づいて演出を進行する（ステップＳ２３３）。この処理が終了すると、演出内容決定処理を終了する。
【０１４５】
次に、図３８を参照して、サブＣＰＵにより行われる演出抽籤処理について説明する。
【０１４６】
初めに、サブＣＰＵ８１は、ＢＢ遊技状態（サブ）であるか否かを判別する（ステップＳ２４１）。サブＣＰＵ８１は、ＢＢ遊技状態（サブ）ではないと判別したときには、ＭＢ遊技状態（サブ）であるか否かを判別する（ステップＳ２４２）。サブＣＰＵ８１は、ＭＢ遊技状態（サブ）ではないと判別したときには、内部当籤状態（サブ）であるか否かを判別する（ステップＳ２４３）。サブＣＰＵ８１は、内部当籤状態（サブ）ではないと判別したときには、内部当籤役にＢＢ１、ＢＢ２、ＢＢ３、又はＭＢが含まれているか否かを判別する（ステップＳ２４４）。サブＣＰＵ８１は、内部当籤役にＢＢ１、ＢＢ２、ＢＢ３、又はＭＢが含まれていると判別したときには、内部当籤状態（サブ）に変更する（ステップＳ２４５）。
【０１４７】
次に、サブＣＰＵ８１は、他のビット（即ち、内部当籤役１格納領域及び内部当籤役２格納領域におけるＢＢ１、ＢＢ２、ＢＢ３、及びＭＢに対応するビット以外のビット）がオンであるか否かを判別する（ステップＳ２４６）。サブＣＰＵ８１は、他のビットがオンではないと判別したとき、又は、ステップＳ２４４において内部当籤役にＢＢ１、ＢＢ２、ＢＢ３、又はＭＢが含まれていないと判別したときには、第１演出テーブル選択テーブルを参照し、内部当籤役に基づいて演出テーブルを選択する（ステップＳ２４７）。
【０１４８】
サブＣＰＵ８１は、ステップＳ２４６において他のビットがオンであると判別したときには、ＢＢ１、ＢＢ２、ＢＢ３、又はＭＢのビットをマスクする（ステップＳ２４８）。次に、サブＣＰＵ８１は、第２演出テーブル選択テーブルを参照し、内部当籤役に基づいて演出テーブルを選択する（ステップＳ２４９）。サブＣＰＵ８１は、ステップＳ２４３において内部当籤状態（サブ）であると判別したときには、ＢＢ１、ＢＢ２、ＢＢ３、又はＭＢのビットをマスクする（ステップＳ２５０）。次に、サブＣＰＵ８１は、第３演出テーブル選択テーブルを参照し、内部当籤役に基づいて演出テーブルを選択する（ステップＳ２５１）。
【０１４９】
サブＣＰＵ８１は、ステップＳ２４２においてＭＢ遊技状態（サブ）であると判別したときには、ＭＢ作動中用演出テーブルを選択する（ステップＳ２５２）。サブＣＰＵ８１は、ステップＳ２４１においてＢＢ遊技状態（サブ）であると判別したときには、ＢＢ作動中用演出テーブルを選択する（ステップＳ２５３）。サブＣＰＵ８１は、ステップＳ２５３、ステップＳ２４７、ステップＳ２４９、ステップＳ２５１、又はステップＳ２５２の後には、選択された演出テーブルに基づいて、演出の内容を決定する（ステップＳ２５４）。次に、サブＣＰＵ８１は、後で図３９を参照して説明する演出変更処理を行う（ステップＳ２５５）。次に、サブＣＰＵ８１は、決定された演出の内容（例えば、遊技開始音、停止連動演出、及び全停止演出の組合せ）に基づいて、演出データをセットする（ステップＳ２５６）。この処理が終了すると、演出抽籤処理を終了する。
【０１５０】
次に、図３９を参照して、サブＣＰＵにより行われる演出変更処理について説明する。
【０１５１】
初めに、サブＣＰＵ８１は、一般遊技状態（サブ）であるか否かを判別する（ステップＳ２６１）。サブＣＰＵ８１は、一般遊技状態（サブ）であると判別したときには、内部当籤役にＢＢ１、ＢＢ２、ＢＢ３、又はＭＢが含まれているか否かを判別する（ステップＳ２６２）。サブＣＰＵ８１は、内部当籤役にＢＢ１、ＢＢ２、ＢＢ３、又はＭＢが含まれていると判別したときには、遊技開始音は「２」であるか否かを判別する（ステップＳ２６３）。
【０１５２】
サブＣＰＵ８１は、ステップＳ２６３において遊技開始音は「２」であると判別したときには、予め定められた数値の範囲から抽出された乱数値に基づいて「１／８」の（確率で当籤する）抽籤を行う（ステップＳ２６４）。尚、この処理において採用する当籤確率は、任意に変更可能である。次に、サブＣＰＵ８１は、当籤したか否かを判別する（ステップＳ２６５）。サブＣＰＵ８１は、当籤したと判別したときには、遊技開始音を「４」に変更する（ステップＳ２６６）。即ち、ボーナスゲームの作動に係る内部当籤役が決定され、演出テーブルにより予め定められた遊技開始音が決定されるとき、当該遊技開始音の決定を行った所定の抽籤とは別に、更に抽籤を行うことにより演出テーブルにより規定されていない特定の遊技開始音に変更するか否かが決定される。
【０１５３】
サブＣＰＵ８１は、ステップＳ２６６の後、ステップＳ２６１において一般遊技状態（サブ）ではないと判別したとき、ステップＳ２６２において内部当籤役にＢＢ１、ＢＢ２、ＢＢ３、又はＭＢが含まれていないと判別したとき、ステップＳ２６３において遊技開始音は「２」ではないと判別したとき、又は、ステップＳ２６５において当籤しなかったと判別したときには、一般遊技状態（サブ）であるか否かを判別する（ステップＳ２６７）。サブＣＰＵ８１は、一般遊技状態（サブ）ではないと判別したときには、演出変更処理を終了する一方、一般遊技状態（サブ）であると判別したときには、内部当籤役にＢＢ１、ＢＢ２、ＢＢ３、又はＭＢが含まれているか否かを判別する（ステップＳ２６８）。
【０１５４】
サブＣＰＵ８１は、ステップＳ２６８においてＢＢ１、ＢＢ２、ＢＢ３、又はＭＢが含まれていると判別したときには、演出変更処理を終了する一方、内部当籤役にＢＢ１、ＢＢ２、ＢＢ３、又はＭＢが含まれていないと判別したときには、全停止演出は「横一文字」、「ナイアガラ」、「五月雨」、「Ｗ字」、又は「ローリング」であるか否かを判別する（ステップＳ２６９）。サブＣＰＵ８１は、全停止演出は「横一文字」、「ナイアガラ」、「五月雨」、「Ｗ字」、又は「ローリング」ではないと判別したときには、演出変更処理を終了する一方、全停止演出は「横一文字」、「ナイアガラ」、「五月雨」、「Ｗ字」、又は「ローリング」であると判別したときには、全停止演出変更テーブルに基づいて抽籤を行う（ステップＳ２７０）。
【０１５５】
次に、サブＣＰＵ８１は、当籤したか否かを判別する（ステップＳ２７１）。サブＣＰＵ８１は、当籤しなかったと判別したときには、演出変更処理を終了する一方、当籤したと判別したときには、全停止演出を「特殊横一文字」、「特殊ナイアガラ」、「特殊五月雨」、「特殊Ｗ字」、又は「特殊ローリング」に変更する（ステップＳ２７２）。即ち、演出テーブルにより予め定められた全停止演出が決定されるとき、当該予め定められた全停止演出の決定を行った所定の抽籤とは別に、更に抽籤を行うことにより特定の全停止演出に変更するか否かが決定される。また、上記変更が行われる確率は設定値に比例する。また、全停止演出を「特殊横一文字」、「特殊ナイアガラ」、「特殊五月雨」、「特殊Ｗ字」、又は「特殊ローリング」に変更したときには、決定された内部当籤役を報知する演出が行われる。この処理が終了すると、演出変更処理を終了する。
【０１５６】
次に、図４０〜図４４を参照して、液晶表示装置５の液晶表示部５ａにおいて行われる停止連動演出の表示例について説明する。
【０１５７】
図４０は、停止連動演出として「１消灯」が決定されたときの表示例である。図４０の（１）に示すように各リール３Ｌ，３Ｃ，３Ｒの回転中において、左リール３Ｌに対する第１停止操作の検出が行われると、図４０の（２）に示すように左表示窓４Ｌの周辺の表示領域に対して、左リール３Ｌが回転中のときと比べて、その周辺の表示領域における輝度を低下させた映像（例えば、ポリゴン等により描画される映像を適用する）が表示される。即ち、左表示窓４Ｌの周辺があたかも消灯したかのように遊技者に見せる映像（即ち、消灯映像）が表示される。このとき、周囲に消灯映像を表示する表示窓の内部の輝度は低下されずに維持されることから（また、リールのバックランプの消灯も行われない）、リールの周面に配された図柄の視認性の低下を防止することができる。また、液晶表示部５ａの全体を各表示窓４Ｌ，４Ｃ，４Ｒに応じて３つの領域に区分し、各区分にて輝度を低下させた映像が表示されることから、コントラストの明瞭化を図ることができる。
【０１５８】
続いて、第２停止操作の検出及び第３停止操作の検出が順次行われると、図４０の（３）及び図４０の（４）に示すように中表示窓４Ｃの周辺の表示領域及び右表示窓４Ｒの周辺の表示領域では、消灯映像が表示されず、回転中のときと同じ映像が表示されたままとなる。即ち、「１消灯」は、第１停止操作の検出に基づいて、該当するリールの周囲において消灯映像が表示される。
【０１５９】
図４１は、停止連動演出として「２消灯」が決定されたときの表示例である。図４１の（１）に示すように各リール３Ｌ，３Ｃ，３Ｒの回転中において、左リール３Ｌに対する第１停止操作の検出が行われると、前述の「１消灯」のときと同様、図４１の（２）に示すように左表示窓４Ｌの周辺の表示領域に対して消灯映像が表示される。続いて、中リール３Ｃに対する第２停止操作の検出が行われると、図４１の（３）に示すように、左表示窓４Ｌの周辺の表示領域に加え、中表示窓４Ｃの周辺の表示領域に対して消灯映像が表示される。さらに続いて、第３停止操作の検出が行われると、図４１の（４）に示すように右表示窓４Ｒの周辺の表示領域では、消灯映像が表示されず、回転中のときと同じ映像が表示されたままとなる。即ち、「２消灯」は、第１停止操作の検出及び第２停止操作の検出に基づいて、該当リールの周囲において消灯映像が順次表示される。
【０１６０】
図４２は、停止連動演出として「３消灯」が決定されたときの表示例である。図４２の（１）に示すように各リール３Ｌ，３Ｃ，３Ｒの回転中において、第１停止操作の検出及び第２停止操作の検出が順次行われると、前述の「２消灯」のときと同様、図４２の（２）及び図４２の（３）に示すように左表示窓４Ｌの周辺の表示領域及び中表示窓４Ｃの周辺の表示領域に対して消灯映像が順次表示される。続いて、右リール３Ｒに対する第３停止操作の検出が行われると、図４２の（４）に示すように、左表示窓４Ｌの周辺の表示領域及び中表示窓４Ｃの周辺の表示領域に加え、右表示窓４Ｒの周辺の表示領域に対して消灯映像が表示され、全ての表示窓４Ｌ，４Ｃ，４Ｒの周辺の表示領域に対して消灯映像が表示される。即ち、「３消灯」は、第１停止操作の検出、第２停止操作の検出、及び第３停止操作の検出に基づいて、該当するリールの周囲において消灯映像が順次表示される。
【０１６１】
図４３は、停止連動演出として「無し」が決定されたときの表示例である。図４３の（１）に示すように各リール３Ｌ，３Ｃ，３Ｒの回転中において、第１停止操作の検出、第２停止操作の検出、及び第３停止操作の検出が行われると、図４０の（２）、図４０の（３）、及び図４０の（４）に示すように、各表示窓４Ｌ，４Ｃ，４Ｒの周辺の表示領域では、消灯映像が表示されず、回転中のときと同じ映像が表示されたままとなる。
【０１６２】
図４４は、停止連動演出として「３落雷」が決定されたときの表示例である。「落雷系」が決定されると、図４４の（１）に示すように、各リール３Ｌ，３Ｃ，３Ｒの回転が行われるとき、演出表示領域２３において放電によって火花が生じている様子を示す映像が表示される。この各リール３Ｌ，３Ｃ，３Ｒの回転中において、左リール３Ｌに対して第１停止操作の検出が行われると、図４４の（２）に示すように左表示窓４Ｌの周辺の表示領域に対して、落雷が発生した様子を示す映像（即ち、落雷映像）が表示される。続いて、第２停止操作の検出及び第３停止操作の検出が順次行われると、図４４の（３）及び図４４の（４）に示すように中表示窓４Ｃの周辺の表示領域及び右表示窓４Ｒの周辺の表示領域に対して落雷映像が順次表示される。尚、「１落雷」及び「２落雷」に関する表示例の図示を省略したが、これらについても前述の「消灯系」と同様の手法にて停止操作の検出に基づいて、該当するリールの周囲において落雷映像が表示される。
【０１６３】
次に、図４５〜図５７を参照して、液晶表示装置５の液晶表示部５ａにおいて行われる全停止演出の表示例について説明する。図４５〜図５０は、消灯系全停止演出が決定されたときに行われる表示例である。
【０１６４】
図４５は、消灯系全停止演出として「横一文字」が決定されたときの表示例である。左表示窓４Ｌの中段の周辺の表示領域（図４５の（１）参照）、中表示窓４Ｃの中段の周辺の表示領域（図４５の（２）参照）、及び、右表示窓４Ｒの中段の周辺の表示領域（図４５の（３）参照）を順次発光させる映像が表示される。即ち、遊技者からすれば、各表示窓４Ｌ，４Ｃ，４Ｒの中央を左から右に横切るように発光が行われて見える。
【０１６５】
図４６は、消灯系全停止演出として「ローリング」が決定されたときの表示例である。中表示窓４Ｃの上段と中段の周辺の表示領域（図４６の（１）参照）、左表示窓４Ｌの上段と右表示窓４Ｒの下段の周辺の表示領域（図４６の（２）参照）、左表示窓４Ｌの中段と右表示窓４Ｒの中段の周辺の表示領域（図４６の（３）参照）、左表示窓４Ｌの下段と右表示窓４Ｒの上段の周辺の表示領域（図４６の（４）参照）、及び、中表示窓４Ｃの上段と下段の周辺の表示領域（図４６の（５）参照）を順次発光させる映像が表示される。即ち、遊技者からすれば、各表示窓４Ｌ，４Ｃ，４Ｒの内周を反時計周りに回転するように発光が行われて見える。
【０１６６】
図４７は、消灯系全停止演出として「Ｗ字」が決定されたときの表示例である。中表示窓４Ｃの上段の周辺の表示領域（図４７の（１）参照）、中表示窓４Ｃの中段の周辺の表示領域（図４７の（２）参照）、中表示窓４Ｃの下段の周辺の表示領域（図４７の（３）参照）、左表示窓４Ｌの下段と右表示窓４Ｒの下段の周辺の表示領域（図４７の（４）参照）、左表示窓４Ｌの中段と右表示窓４Ｒの中段の周辺の表示領域（図４７の（５）参照）、及び、左表示窓４Ｌの上段と右表示窓４Ｒの上段の周辺の表示領域（図４７の（６）参照）を順次発光させる映像が表示される。即ち、遊技者からすれば、各表示窓４Ｌ，４Ｃ，４Ｒの内部を「Ｗ」の文字が描かれるように発光して見える。
【０１６７】
図４８は、消灯系全停止演出として「逆Ｗ字」が決定されたときの表示例である。前述の「Ｗ字」と逆のパターンにて各領域を発光させる映像が表示され、遊技者からすれば、各表示窓４Ｌ，４Ｃ，４Ｒの内部を上記「Ｗ字」とは逆に「Ｗ」の文字が描かれるように発光して見える。図４９は、消灯系全停止演出として「ナイアガラ」が決定されたときの表示例である。各表示窓４Ｌ，４Ｃ，４Ｒの上段の周辺の表示領域（図４９の（１）参照）、各表示窓４Ｌ，４Ｃ，４Ｒの中段の周辺の表示領域（図４９の（２）参照）、及び、各表示窓４Ｌ，４Ｃ，４Ｒの下段の周辺の表示領域（図４９の（３）参照）を順次発光させる映像が表示される。即ち、遊技者からすれば、各表示窓４Ｌ，４Ｃ，４Ｒの上方から下方に向かって滝が落ちるように発光が行われて見える。
【０１６８】
図５０は、消灯系全停止演出として「五月雨」が決定されたときの表示例である。中表示窓４Ｃの上段の周辺の表示領域（図５０の（１）参照）、左表示窓４Ｌの中段の周辺の表示領域（図５０の（２）参照）、右表示窓４Ｒの中段の周辺の表示領域（図５０の（３）参照）、中表示窓４Ｃの下段の周辺の表示領域（図５０の（４）参照）、右表示窓４Ｒの上段の周辺の表示領域（図５０の（５）参照）、中表示窓４Ｃの中段の周辺の表示領域（図５０の（６）参照）、及び、左表示窓４Ｌの下段の周辺の表示領域（図５０の（７）参照）を順次発光させる映像が表示される。即ち、遊技者からすれば、各表示窓４Ｌ，４Ｃ，４Ｒ内において斜めに雨が降るように発光が行われて見える。
【０１６９】
図５１〜図５７は、落雷系全停止演出が決定されたときに行われる表示例である。
【０１７０】
図５１は、落雷系全停止演出として「横一文字」が決定されたときの表示例である。各表示窓４Ｌ，４Ｃ，４Ｒの下方の表示領域には、火花が左から右に横切る動作を行う様子を示す映像が表示される。図５２は、落雷系全停止演出として「ローリング」が決定されたときの表示例である。各表示窓４Ｌ，４Ｃ，４Ｒの下方の表示領域には、火花が反時計周りに回転する動作を行う様子を示す映像が表示される。
【０１７１】
図５３は、落雷系全停止演出として「Ｗ字」が決定されたときの表示例である。各表示窓４Ｌ，４Ｃ，４Ｒの下方の表示領域には、火花が「Ｗ」の文字を描くように動作する様子を示す映像が表示される。図５４は、落雷系全停止演出として「逆Ｗ字」が決定されたときの表示例である。各表示窓４Ｌ，４Ｃ，４Ｒの下方の表示領域には、火花が前述の「Ｗ字」と逆のパターンにて「Ｗ」の文字を描くように動作する様子を示す映像が表示される。
【０１７２】
図５５は、落雷系全停止演出として「ナイアガラ」が決定されたときの表示例である。各表示窓４Ｌ，４Ｃ，４Ｒの下方の表示領域には、火花が上方から下方に向かって滝が落ちるように動作する様子を示す映像が表示される。図５６は、落雷系全停止演出として「五月雨」が決定されたときの表示例である。各表示窓４Ｌ，４Ｃ，４Ｒの下方の表示領域には、火花が斜めに横切ることで雨が降るように動作する様子を示す映像が表示される。図５７は、落雷系全停止演出として「落雷ＳＰ」が決定されたときの表示例である。各表示窓４Ｌ，４Ｃ，４Ｒの周辺に帯電した火花が八方に放出するように動作する様子を示す映像が表示される。
【０１７３】
ここで、全停止演出が「横一文字」、「ナイアガラ」、「五月雨」、「Ｗ字」、及び「ローリング」のときは、夫々における上記フラッシュ映像が共通の色（例えば、紫）によって表示されるのに対して、これらが「特殊横一文字」、「特殊ナイアガラ」、「特殊五月雨」、「特殊Ｗ字」、又は「特殊ローリング」に夫々変更されたときには、上記フラッシュ映像が決定された内部当籤役に応じた色によって表示されるようになる。例えば、内部当籤役がベルであれば「黄色」、スイカであれば「緑」、リプレイであれば「青」、チェリーであれば「赤」によってフラッシュ映像が表示されるようになる。
【０１７４】
このようにして、遊技開始音、停止連動演出、及び全停止演出が順次進行することにより、聴覚効果及び視覚効果によって、決定されている内部当籤役の推測を行うための要素が遊技者に対して提供されるようになる。従って、遊技者は、開始操作や停止操作を行うにつれて、決定されている内部当籤役についての推測の信頼性を高めることもできるので、各操作を行う際の興趣を向上させることができ、遊技の面白みが増す。
【０１７５】
以上のように、本実施の形態では、決定される内部当籤役に基づいて、演出テーブルにより規定される複数種類の遊技開始音（即ち、「１」、「２」、「３」）の中から何れかを決定し、決定される内部当籤役がボーナスゲームの作動に係る内部当籤役であるとき、演出テーブルにより決定された遊技開始音（即ち、「２」）から演出テーブルにより規定される遊技開始音とは異なる遊技開始音（即ち、「４」）への変更を行うか否かを決定するようにした。即ち、ボーナスゲームの作動に係る内部当籤役が決定されると、演出テーブルにより規定される遊技開始音とは異なる遊技開始音の出力を行うことが可能となる。
【０１７６】
従って、演出テーブルにより規定される遊技開始音の種類を増やすことなく、出力する遊技開始音のパターンを増やすことが可能となるので、演出テーブルに要する記憶の容量（即ち、ＲＯＭのデータ容量）の増大を極力抑えることが可能となる。また、ボーナスゲームの作動に係る内部当籤役が決定されていないときに参照する演出テーブルと、ボーナスゲームの作動に係る内部当籤役が決定されているときに参照する演出テーブルとを設けるようにする場合、当該演出テーブルの一部又は全部を共用することも可能となり、演出テーブルに要する記憶の容量を削減することができ、また、演出テーブルの開発作業を軽減することができる。
【０１７７】
また、上記遊技開始音「４」への変更は、ボーナスゲームの作動に係る内部当籤役が決定されるときにのみ行われる可能性があるので、遊技開始音「４」が出力されると、ボーナスゲームの作動に係る内部当籤役が決定されていることを遊技者に対して確定的に報知することができ、遊技者が開始操作を行う際の興趣の向上を図ることが可能となる。
【０１７８】
以上、本実施の形態について説明したが、本発明はこれに限定されるものではない。
【０１７９】
尚、前記遊技機を構成する、図柄表示手段、開始操作検出手段、内部当籤役決定手段、図柄変動手段、停止操作検出手段、停止制御手段、ボーナスゲーム作動手段、演出テーブル記憶手段、演出データ決定手段、演出データ変更手段、演出実行手段などの具体的構成については前述した本実施の形態の各要素に限らず任意に変更可能である。
【０１８０】
本実施の形態では、演出データとして遊技開始音を適用し、演出実行手段により行われる演出としてスピーカ２１Ｌ，２１Ｒにより効果音を出力する演出を行うようにしたが、本発明はこれに限らず、演出データとして、映像の表示のパターンや、ランプの点消灯のパターンを規定したものを適用し、映像の表示やランプの点消灯、或いはこれらを組み合わせた演出を行うようにしても良い。
【０１８１】
また、本実施の形態では、演出テーブルにより規定される複数種類の演出データとは異なる演出データとして、遊技開始音「４」の１種類のみを設けたが、本発明はこれに限らず、複数の種類を設けるようにしても良い。これにより、演出テーブルに要する記憶の容量の増大を抑えつつ、多様な演出を実現することが可能となる。
【０１８２】
また、本実施の形態では、スタートコマンドの受信時を契機として遊技開始音の決定及び出力を行うこととしたが、これに限らず、スタートコマンドの受信時を契機として遊技開始音の決定を行い、リール停止許可コマンドの受信時を契機として遊技開始音の出力を行うようにしても良い。リール停止許可コマンドは、全てのリール３Ｌ，３Ｃ，３Ｒの回転が定速に達して、各ストップボタン７Ｌ，７Ｃ，７Ｒの押圧操作の有効化が行われたときに副制御回路７２に対して送信されるようにする。尚、パチスロでは、前回の各ストップボタンの押圧操作の有効化から予め定められた時間（例えば、４．１秒）が経過していないときは、当該時間が経過するまで以降の処理を待機するウェイトが行われるが、予め定められた時間（例えば、４．１秒）が経過していないときは、ウェイトを行ったのちにリール停止許可コマンドを送信して、副制御回路７２において遊技開始音の出力を行うようにしても良い。
【０１８３】
また、本実施の形態において適用した、図１及び図２に示す装置構成、図３及び図４に示す回路構成及びその周辺装置、図５〜図９、図１３、及び図１５〜図２６に示すテーブルの構成、図１０〜図１２に示すＲＡＭの格納領域の構成、図２７〜図３９に示すフローチャートの構成などは、本発明の趣旨を逸脱しない範囲で任意に変更又は修正が可能なものである。
【０１８４】
また、本実施の形態のようなパチスロ機の他、スロットマシン、ビデオスロット等の遊技機にも本発明を適用できる。さらに、前述のスロットマシンでの動作を家庭用ゲーム機用として擬似的に実行するようなゲームプログラムにおいても、本発明を適用してゲームを実行することができる。その場合、ゲームプログラムを記録する記録媒体は、ＣＤ−ＲＯＭ、ＦＤ（フレキシブルディスク）、その他任意の記録媒体を利用できる。
【０１８５】
尚、本実施の形態に記載された効果は、本発明から生じる最も好適な効果を列挙したに過ぎず、本発明による効果は、本実施の形態に記載されたものに限定されるものではない。
【図面の簡単な説明】
【０１８６】
【図１】遊技機１の概観を示す斜視図である。
【図２】リール３Ｌ，３Ｃ，３Ｒ上に配列された図柄を示す図である。
【図３】遊技機１の電気回路の構成を示すブロック図である。
【図４】遊技機１の副制御回路７２の構成を示すブロック図である。
【図５】遊技機１の内部抽籤テーブル決定テーブルを示す図である。
【図６】遊技機１の内部抽籤テーブルを示す図である。
【図７】遊技機１の内部当籤役決定テーブルを示す図である。
【図８】遊技機１の図柄組合せテーブルを示す図である。
【図９】遊技機１のボーナス作動時テーブルを示す図である。
【図１０】主制御回路７１のＲＡＭ３３の内部当籤役格納領域を示す図である。
【図１１】主制御回路７１のＲＡＭ３３の持越役格納領域を示す図である。
【図１２】主制御回路７１のＲＡＭ３３の作動中フラグ格納領域を示す図である。
【図１３】遊技機１の演出テーブル選択テーブルを示す図である。
【図１４】遊技状態と、内部当籤役と、選択される演出テーブルと、の対応表を示す図である。
【図１５】遊技機１の演出テーブル群Ａを示す図である。
【図１６】遊技機１の演出テーブル群Ａを示す図である。
【図１７】遊技機１の演出テーブル群Ａを示す図である。
【図１８】遊技機１の演出テーブル群Ｂを示す図である。
【図１９】遊技機１の演出テーブル群Ｂを示す図である。
【図２０】遊技機１の演出テーブル群Ｂを示す図である。
【図２１】遊技機１の演出テーブル群Ｃを示す図である。
【図２２】遊技機１の演出テーブル群Ｃを示す図である。
【図２３】遊技機１の演出テーブル群Ｃを示す図である。
【図２４】遊技機１の演出テーブル群Ｃを示す図である。
【図２５】遊技機１の演出テーブル群Ｃを示す図である。
【図２６】遊技機１の全停止演出変更テーブルを示す図である。
【図２７】主制御回路７１のＣＰＵ３１により行われるリセット割込処理のフローチャートを示す図である。
【図２８】主制御回路７１によるボーナス作動監視処理のフローチャートを示す図である。
【図２９】主制御回路７１によるメダル受付・スタートチェック処理のフローチャートを示す図である。
【図３０】主制御回路７１による内部抽籤処理のフローチャートを示す図である。
【図３１】主制御回路７１によるリール停止制御処理のフローチャートを示す図である。
【図３２】主制御回路７１によるボーナス作動チェック処理のフローチャートを示す図である。
【図３３】主制御回路７１によるボーナス終了チェック処理のフローチャートを示す図である。
【図３４】主制御回路７１による１．１１７３ｍｓｅｃ周期の割込処理のフローチャートを示す図である。
【図３５】副制御回路７２のサブＣＰＵ８１により行われる主基板通信タスクのフローチャートを示す図である。
【図３６】副制御回路７２のサブＣＰＵ８１により行われる演出登録タスクのフローチャートを示す図である。
【図３７】副制御回路７２による演出内容決定処理のフローチャートを示す図である。
【図３８】副制御回路７２による演出抽籤処理のフローチャートを示す図である。
【図３９】副制御回路７２による演出変更処理のフローチャートを示す図である。
【図４０】液晶表示装置５により行われる停止連動演出の表示例を示す図である。
【図４１】液晶表示装置５により行われる停止連動演出の表示例を示す図である。
【図４２】液晶表示装置５により行われる停止連動演出の表示例を示す図である。
【図４３】液晶表示装置５により行われる停止連動演出の表示例を示す図である。
【図４４】液晶表示装置５により行われる停止連動演出の表示例を示す図である。
【図４５】液晶表示装置５により行われる全停止演出の表示例を示す図である。
【図４６】液晶表示装置５により行われる全停止演出の表示例を示す図である。
【図４７】液晶表示装置５により行われる全停止演出の表示例を示す図である。
【図４８】液晶表示装置５により行われる全停止演出の表示例を示す図である。
【図４９】液晶表示装置５により行われる全停止演出の表示例を示す図である。
【図５０】液晶表示装置５により行われる全停止演出の表示例を示す図である。
【図５１】液晶表示装置５により行われる全停止演出の表示例を示す図である。
【図５２】液晶表示装置５により行われる全停止演出の表示例を示す図である。
【図５３】液晶表示装置５により行われる全停止演出の表示例を示す図である。
【図５４】液晶表示装置５により行われる全停止演出の表示例を示す図である。
【図５５】液晶表示装置５により行われる全停止演出の表示例を示す図である。
【図５６】液晶表示装置５により行われる全停止演出の表示例を示す図である。
【図５７】液晶表示装置５により行われる全停止演出の表示例を示す図である。
【符号の説明】
【０１８７】
１    遊技機
３Ｌ，３Ｃ，３Ｒ    リール
４Ｌ，４Ｃ，４Ｒ    表示窓
５    液晶表示装置
６    スタートレバー
６Ｓ    スタートスイッチ
７Ｌ、７Ｃ、７Ｒ    ストップボタン
７Ｓ    ストップスイッチ
３０    マイクロコンピュータ
３１    ＣＰＵ
３２    ＲＯＭ
３３    ＲＡＭ
７１    主制御回路
７２    副制御回路
８１    サブＣＰＵ
８２    制御ＲＯＭ
８３    ＳＤＲＡＭ
【図１】
2008006166.tif 000003
【図２】
2008006166.tif 000004
【図３】
2008006166.tif 000005
【図４】
2008006166.tif 000006
【図５】
2008006166.tif 000007
【図６】
2008006166.tif 000008
【図７】
2008006166.tif 000009
【図８】
2008006166.tif 000010
【図９】
2008006166.tif 000011
【図１０】
2008006166.tif 000012
【図１１】
2008006166.tif 000013
【図１２】
2008006166.tif 000014
【図１３】
2008006166.tif 000015
【図１４】
2008006166.tif 000016
【図１５】
2008006166.tif 000017
【図１６】
2008006166.tif 000018
【図１７】
2008006166.tif 000019
【図１８】
2008006166.tif 000020
【図１９】
2008006166.tif 000021
【図２０】
2008006166.tif 000022
【図２１】
2008006166.tif 000023
【図２２】
2008006166.tif 000024
【図２３】
2008006166.tif 000025
【図２４】
2008006166.tif 000026
【図２５】
2008006166.tif 000027
【図２６】
2008006166.tif 000028
【図２７】
2008006166.tif 000029
【図２８】
2008006166.tif 000030
【図２９】
2008006166.tif 000031
【図３０】
2008006166.tif 000032
【図３１】
2008006166.tif 000033
【図３２】
2008006166.tif 000034
【図３３】
2008006166.tif 000035
【図３４】
2008006166.tif 000036
【図３５】
2008006166.tif 000037
【図３６】
2008006166.tif 000038
【図３７】
2008006166.tif 000039
【図３８】
2008006166.tif 000040
【図３９】
2008006166.tif 000041
【図４０】
2008006166.tif 000042
【図４１】
2008006166.tif 000043
【図４２】
2008006166.tif 000044
【図４３】
2008006166.tif 000045
【図４４】
2008006166.tif 000046
【図４５】
2008006166.tif 000047
【図４６】
2008006166.tif 000048
【図４７】
2008006166.tif 000049
【図４８】
2008006166.tif 000050
【図４９】
2008006166.tif 000051
【図５０】
2008006166.tif 000052
【図５１】
2008006166.tif 000053
【図５２】
2008006166.tif 000054
【図５３】
2008006166.tif 000055
【図５４】
2008006166.tif 000056
【図５５】
2008006166.tif 000057
【図５６】
2008006166.tif 000058
【図５７】
2008006166.tif 000059